(57)【要約】【課題】  園芸用容器内部の排水効率、外気供給効率等を大幅に向上することのできる園芸用容器の提供。【解決手段】  園芸用底敷１０は、園芸用容器の底壁の水抜き孔に対向して配置自在とされる中空の略錐形状をなす突起部１１を備え、突起部１１に多数の排水孔１１ａ，１１ｂを設けると共に、突起部１１の頂角を約３０度〜約７０度の範囲内の角度とした。また、突起部１１には２段の排水部１１Ａ，１１Ｂが形成されている。平板部１２は、突起部１１の下端の外周縁から外方に張り出し形成される略リング板形状をなしている。平板部１２は、前記略リング板形状を放射方向に略一定間隔で複数段に区画することにより、略リング板形状の円周方向に延びるリング状の排水部１２Ａ，１２Ｂ，１２Ｃを複数段形成している。【選択図】  図１
2005073584.tif 000002
【特許請求の範囲】
【請求項１】
園芸用容器の底壁の水抜き孔に対向して配置自在とされる中空の略錐形状をなす突起部を備え、
前記突起部に多数の排水孔を設けると共に、前記突起部の頂角を約３０度〜約７０度の範囲内の角度とした
ことを特徴とする園芸用底敷。
【請求項２】
ｎ個の側面のみからなり底面を有しない中空のｎ角錐の前記側面を全て展開した平面形状の板状をなし、前記ｎ個の側面に対応する部分をｎ個の分割面とすると共に、前記ｎ個の分割面をその境界線で互いに折り曲げ自在とした板状をなす突起部用組立部を備え、
前記突起部用組立部の分割面に、それぞれ、多数の排水孔を設け、
前記突起部用組立部の両端側に位置する一対の分割面の外側縁に、それぞれ、互いに係止自在な係止部を設け、
前記ｎ角錐を形成するよう前記突起部用組立部の分割面を折り曲げると共に、前記突起部用組立部の両端側に位置する一対の分割面の外側縁を前記係止部により互いに係止することにより、園芸用容器の底壁の水抜き孔に対向して配置自在な中空の前記ｎ角錐形状をなす突起部を形成自在とした
ことを特徴とする園芸用底敷。
【請求項３】
ｎ個の側面のみからなり底面を有しない中空のｎ角錐台の前記側面を全て展開した平面形状の板状をなし、前記ｎ個の側面に対応する部分をｎ個の分割面とすると共に、前記ｎ個の分割面をその境界線で互いに折り曲げ自在とした板状をなす突起部用組立部を備え、
前記突起部用組立部の分割面に、それぞれ、多数の排水孔を設け、
前記突起部用組立部の両端側に位置する一対の分割面の外側縁に、それぞれ、互いに係止自在な係止部を設け、
前記ｎ角錐台を形成するよう前記突起部用組立部の分割面を折り曲げると共に、前記突起部用組立部の両端側に位置する一対の分割面の外側縁を前記係止部により互いに係止することにより、園芸用容器の底壁の水抜き孔に対向して配置自在な中空の前記ｎ角錐台形状をなす突起部を形成自在とした
ことを特徴とする園芸用底敷。
【請求項４】
更に、前記突起部用組立部の分割面の底辺に突出形成されると共に、前記分割面の底辺位置で折り曲げ自在とされた平板状の平板部用縁部を備え、
前記突起部を形成するよう前記突起部用組立部の分割面を折り曲げたときに、前記分割面の底辺側で前記分割面から外側に突出するよう前記平板部用縁部を折り曲げることにより、前記園芸用容器の底壁に載置自在な平板部を形成自在としたことを特徴とする請求項２または３記載の園芸用底敷。
【請求項５】
側面のみからなり底面を有しない中空の円錐の前記側面を一つの母線位置で切断して展開した平面形状の板状をなし、前記円錐の円周方向に湾曲自在とされた突起部用組立部を備え、
前記突起部用組立部に多数の排水孔を設け、
前記突起部用組立部の前記母線位置に対応する一対の外側縁に、それぞれ、互いに係止自在な係止部を設け、
前記円錐を形成するよう前記突起部用組立部を円周方向に湾曲すると共に、前記突起部用組立部の一対の外側縁を前記係止部により互いに係止することにより、園芸用容器の底壁の水抜き孔に対向して配置自在な中空の前記円錐形状をなす突起部を形成自在とした
ことを特徴とする園芸用底敷。
【請求項６】
側面のみからなり底面を有しない中空の円錐台の前記側面を一つの母線位置で切断して展開した平面形状の板状をなし、前記円錐台の円周方向に湾曲自在とされた突起部用組立部を備え、
前記突起部用組立部に多数の排水孔を設け、
前記突起部用組立部の前記母線位置に対応する一対の外側縁に、それぞれ、互いに係止自在な係止部を設け、
前記円錐台を形成するよう前記突起部用組立部を円周方向に湾曲すると共に、前記突起部用組立部の一対の外側縁を前記係止部により互いに係止することにより、園芸用容器の底壁の水抜き孔に対向して配置自在な中空の前記円錐台形状をなす突起部を形成自在とした
ことを特徴とする園芸用底敷。
【請求項７】
更に、前記突起部用組立部の底辺に突出形成されると共に、前記突起部用組立部の底辺位置で折り曲げ自在とされた平板状の平板部用縁部を備え、
前記突起部を形成するよう前記突起部用組立部を湾曲したときに、前記突起部用組立部の底辺側で前記突起部用組立部から外側に突出するよう前記平板部用縁部を折り曲げることにより、前記園芸用容器の底壁に載置自在な平板部を形成自在としたことを特徴とする請求項５または６記載の園芸用底敷。
【請求項８】
互いに平行に隣接配置されるよう一体形成された少なくとも一対の帯状をなす突起部用分割面を有し、前記一対の突起部用分割面をその境界線で裏面側へ折り曲げ自在とした突起部用組立部と、
前記突起部用組立部の一対の突起部用分割面の幅方向両側に平行に隣接配置され、前記突起部用分割面との境界線で表面側へ折り曲げ自在となるよう一体形成された一対の帯状をなす平板部用分割面とを備え、
前記突起部用組立部の突起部用分割面に多数の排水溝を設け、
山形状を形成するよう前記突起部用組立部の一対の突起部用分割面を裏面側へ折り曲げることにより、園芸用容器の底壁の水抜き孔に対向して配置自在な中空の山形状をなす突起部を形成自在とすると共に、前記平板部用分割面を、前記山形状とした突起部用分割面における前記山形状の底辺から外側へ前記底辺と略同一線上に延びるよう表面側に折り曲げることにより、園芸用容器の底壁に載置自在な平板部を形成自在とし、
前記突起部用分割面と前記平板部用分割面との境界線部分の表面側に、前記境界線全体に沿って延びる断面Ｖ字状の屈曲溝を形成し、前記屈曲溝部分で前記平板部用分割面を前記突起部用分割面に対して表面側へ屈曲自在とすると共に、前記屈曲溝の頂角を、前記突起部用分割面に対する前記平板部用分割面の折り曲げ状態において、前記突起部用分割面の表面及び前記平板部用分割面の表面とが形成する角度の約２分の１の角度とした
ことを特徴とする園芸用底敷。
【請求項９】
更に、前記突起部用組立部の一対の突起部用分割面の境界線部分の表面側に、前記境界線全体に沿って延びるスリット状の屈曲溝を形成し、前記一対の突起部用分割面を前記屈曲溝部分で裏面側へ屈曲自在としたことを特徴とする請求項８記載の園芸用底敷。
【請求項１０】
更に、前記突起部用組立部の一対の突起部用分割面の境界線部分の裏面側に、前記境界線全体に沿って延びる逆Ｖ字状の屈曲溝を形成し、前記一対の突起部用分割面を前記屈曲溝部分で裏面側へ屈曲自在とすると共に、前記屈曲溝の頂角を、前記一対の突起部用分割面の折り曲げ状態において前記一対の突起部用分割面の裏面が形成する角度の約２倍の角度としたことを特徴とする請求項８記載の園芸用底敷。
【請求項１１】
互いに平行に隣接配置されるよう一体形成された少なくとも一対の帯状をなす突起部用分割面を有し、前記一対の突起部用分割面をその境界線で裏面側へ折り曲げ自在とした突起部用組立部と、
前記突起部用組立部の一対の突起部用分割面の幅方向両側に平行に隣接配置され、前記突起部用分割面との境界線で表面側へ折り曲げ自在となるよう一体形成された一対の帯状をなす平板部用分割面と、
前記突起部用分割面及び前記平板部用分割面の境界線方向における１以上の位置に、前記境界線方向と直交する方向に前記突起部用分割面及び前記平板部用分割面の全長を延びるよう一体的に設けられた中実の直線棒状をなす芯部とを備え、
前記突起部用組立部の突起部用分割面に多数の排水溝を設け、
山形状を形成するよう前記突起部用組立部の一対の突起部用分割面を裏面側へ折り曲げることにより、園芸用容器の底壁の水抜き孔に対向して配置自在な中空の山形状をなす突起部を形成自在とすると共に、前記平板部用分割面を、前記山形状とした突起部用分割面における前記山形状の底辺から外側へ前記底辺と略同一線上に延びるよう表面側に折り曲げることにより、園芸用容器の底壁に載置自在な平板部を形成自在とし、
前記芯部において、前記突起部用分割面と前記平板部用分割面との境界線部分の表面側に、前記境界線に沿って延びる断面Ｖ字状の屈曲溝を形成し、前記芯部の屈曲溝部分で、前記平板部用分割面を前記突起部用分割面に対して表面側へ屈曲自在とすると共に、前記屈曲溝の頂角を、前記突起部用分割面に対する前記平板部用分割面の折り曲げ状態において、前記突起部用分割面の表面及び前記平板部用分割面の表面とが形成する角度の約２分の１の角度とした
ことを特徴とする園芸用底敷。
【請求項１２】
更に、前記芯部において、前記突起部用組立部の一対の突起部用分割面の境界線部分の表面側に、前記境界線に沿って延びるスリット状の屈曲溝を形成し、前記一対の突起部用分割面を前記芯部の屈曲溝部分で裏面側へ屈曲自在としたことを特徴とする請求項１１記載の園芸用底敷。
【請求項１３】
更に、前記芯部において、前記突起部用組立部の一対の突起部用分割面の境界線部分の裏面側に、前記境界線に沿って延びる断面逆Ｖ字状の屈曲溝を形成し、前記一対の突起部用分割面を前記芯部の屈曲溝部分で裏面側へ屈曲自在とすると共に、前記屈曲溝の頂角を、前記一対の突起部用分割面の折り曲げ状態において前記一対の突起部用分割面の裏面が形成する角度の約２倍の角度としたことを特徴とする請求項１１記載の園芸用底敷。
【請求項１４】
互いに平行に隣接配置されるよう一体形成された少なくとも一対の帯状をなす突起部用分割面を有し、前記一対の突起部用分割面をその境界線で裏面側へ折り曲げ自在とした突起部用組立部を備え、
前記突起部用組立部の突起部用分割面に多数の排水溝を設け、
山形状を形成するよう前記突起部用組立部の一対の突起部用分割面を裏面側へ折り曲げることにより、園芸用容器の底壁の水抜き孔に対向して配置自在な中空の山形状をなす突起部を形成自在とし、
前記突起部用組立部の一対の突起部用分割面の境界線部分の裏面側に、前記境界線全体に沿って延びる逆Ｖ字状の屈曲溝を形成し、前記屈曲溝部分で前記一対の突起部用分割面を裏面側へ屈曲自在とすると共に、前記屈曲溝の頂角を、前記一対の突起部用分割面の折り曲げ状態において前記一対の突起部用分割面の裏面が形成する角度の約２倍の角度とした
ことを特徴とする園芸用底敷。
【請求項１５】
互いに平行に隣接配置されるよう一体形成された少なくとも一対の帯状をなす突起部用分割面を有し、前記一対の突起部用分割面をその境界線で裏面側へ折り曲げ自在とした突起部用組立部と、
前記突起部用分割面の境界線方向における１以上の位置に、前記境界線方向と直行する方向に前記突起部用分割面の全長を延びるよう一体的に設けられた中実の直線棒状をなす芯部とを備え、
前記突起部用組立部の突起部用分割面に多数の排水溝を設け、
山形状を形成するよう前記突起部用組立部の一対の突起部用分割面を裏面側へ折り曲げることにより、園芸用容器の底壁の水抜き孔に対向して配置自在な中空の山形状をなす突起部を形成自在とし、
前記突起部用組立部の一対の突起部用分割面の境界線部分の裏面側に、前記境界線全体に沿って延びる逆Ｖ字状の屈曲溝を形成し、前記屈曲溝部分で前記一対の突起部用分割面を裏面側へ屈曲自在とすると共に、前記屈曲溝の頂角を、前記一対の突起部用分割面の折り曲げ状態において前記一対の突起部用分割面の裏面が形成する角度の約２倍の角度とした
ことを特徴とする園芸用底敷。
【請求項１６】
前記屈曲溝の内側面に粘着手段を設けたことを特徴とする請求項８乃至１５のいずれか１項記載の園芸用底敷。
【請求項１７】
前記芯部を含む前記境界線の全長にわたって延びるよう前記屈曲溝を設けたことを特徴とする請求項８乃至１５のいずれか１項記載の園芸用底敷。
【請求項１８】
底壁に複数の水抜き孔を有する園芸用容器に使用される園芸用底敷であって、
前記園芸用容器の底壁に載置自在とされる平板部と、
前記平板部を前記園芸用容器の底壁に載置したときに、前記園芸用容器の複数の水抜き孔にそれぞれ対向するよう、前記平板部に一体的に突出形成された複数の突起部とを備え、
前記複数の突起部の各々を中空の錘形状とすると共に、前記複数の突起部の各々に多数の排水孔を設けた
ことを特徴とする園芸用底敷。
【請求項１９】
底壁に複数の水抜き孔を有する園芸用容器に使用される園芸用底敷であって、
前記園芸用容器の底壁に載置自在とされる略矩形板状の平板部と、
前記平板部を前記園芸用容器の底壁に載置したときに、前記園芸用容器の複数の水抜き孔にそれぞれ対向するよう、前記平板部に一体的に突出形成された複数の突起部とを備え、
前記平板部の幅方向両端に、前記平板部の平面と略直交して前記突部と反対方向に延びる脚部を一体形成して、前記平板部を前記園芸用容器の底壁に載置したときに、前記平板部が前記脚部を介して前記園芸用容器の底壁との間に間隙を置いて上方に配置されるようにすると共に、前記平板部に多数の排水孔を設け、
前記複数の突起部の各々を中空の錘形状とすると共に、前記複数の突起部の各々に多数の排水孔を設けた
ことを特徴とする園芸用底敷。
【請求項２０】
園芸用容器の底壁に載置自在とされる板状の平板部と、
前記平板部を前記園芸用容器の底壁に載置したときに、前記園芸用容器の水抜き孔に対向するよう、前記平板部に一体的に突出形成された突起部とを備え、
前記突起部を、下端を開口する中空の錘形状とすると共に、前記突起部に多数の排水孔を設け、
前記平板部を、前記突起部の下端の開口の周囲から外方に広がるフランジ状の突起部側平板部と、前記突起部側平板部と同一外形を有する平板状をなし、前記突起部側平板部と同一平面上に延びるよう前記突起部側平板部に一体形成された折畳側平板部とから構成し、
前記折畳側平板部を前記突起部側平板部に対して折畳んで重ね合わせ自在とすると共に、前記折畳側平板部の全面に多数の排水孔を設け、前記折畳側平板部を前記突起部側平板部に対して折畳んで重ね合わせたときに、前記折畳側平板部が前記突起部の下端の開口の全体を覆うと共に、前記折畳側平板部の多数の排水孔が前記突起部の下端の開口に配置されるようにした
ことを特徴とする園芸用底敷。
【発明の詳細な説明】
【技術分野】
【０００１】
本発明は、植木鉢等の園芸用容器の底壁に設けた水抜き孔に対応して配置される園芸用底敷に関する。
【背景技術】
【０００２】
一般に、植木鉢等の園芸用容器の底壁の中央には、内部の水を排出するための水抜き孔が設けられる。また、園芸用容器に花等の植物を植えるには、内部に充填する土が前記水抜き孔から落ちないよう、前記底壁の水抜き孔の上にネット状（網状）の園芸用底敷を敷くことがある。この園芸用底敷としては、従来、単なる平板状のものが一般的に使用されている。一方、本出願の発明者は、従来の園芸用底敷の機能を大幅に向上する園芸用底敷として、例えば、特許文献１に記載の技術を提案している。
【特許文献１】特開２００２−２３８３５８号公報
【０００３】
特許文献１に係る園芸用底敷は、突起部と平板部とを備える。突起部は、中空の略円錐形状をなし、高さ方向に略一定間隔で、円周方向に延びる帯状の排水部を複数段有する。また、突起部は、各段の排水部の円周方向の全長にわたって多数の台形状の排水孔を互いに密接するよう配置する。平板部は、略リング板形状をなし、放射方向に略一定間隔で、円周方向に延びるリング状の排水部を複数段有する。また、平板部は、各段の排水部の円周方向の全長にわたって、放射方向内方に延びる台形状の排水孔を多数配置する。
【発明の開示】
【発明が解決しようとする課題】
【０００４】
特許文献１に記載の園芸用底敷によれば、園芸用容器内部の水の排出度合いや貯留度合いを必要に応じて制御したり、園芸用容器内部の植物の根に対して十分な量の外気や空気を供給したりすることができる。一方、本出願の発明者は、かかる園芸用底敷を更に改良すべく、園芸用容器内部の排水効率、外気供給効率等を大幅に向上することのできる新たな園芸用底敷について研究開発を重ねた。また、本出願の発明者は、特許文献１に記載の園芸用底敷が、立体形状（三次元形状）をなす点に着目し、保管スペースや運搬時のスペースを大幅に削減することのできる新たな園芸用底敷について研究開発を重ねた。更に、本出願の発明者は、特許文献１に記載の園芸用底敷が、園芸用容器の底壁の水抜き孔から侵入するナメクジによる被害に着目し、ナメクジ防止効果の高い新たな園芸用底敷について研究開発を重ねた。
【０００５】
そこで、本発明は、園芸用容器内部の排水効率、外気供給効率等を大幅に向上することのできる園芸用容器の提供を課題とする。
【０００６】
また、本発明は、保管スペースや運搬時のスペースを大幅に削減することのできる園芸用容器の提供を課題とする。
【０００７】
更に、本発明は、園芸用容器の底壁の水抜き孔から侵入するナメクジを効果的に阻止してナメクジによる被害を確実に防止することのできる園芸用容器の提供を課題とする。
【課題を解決するための手段】
【０００８】
請求項１に係る園芸用底敷は、園芸用容器の底壁の水抜き孔に対向して配置自在とされる中空の略錐形状をなす突起部を備え、前記突起部に多数の排水孔を設けると共に、前記突起部の頂角を約３０度〜約７０度の範囲内の角度とした。
【０００９】
請求項２に係る園芸用底敷は、ｎ個の側面のみからなり底面を有しない中空のｎ角錐の前記側面を全て展開した平面形状の板状をなし、前記ｎ個の側面に対応する部分をｎ個の分割面とすると共に、前記ｎ個の分割面をその境界線で互いに折り曲げ自在とした板状をなす突起部用組立部を備え、前記突起部用組立部の分割面に、それぞれ、多数の排水孔を設け、前記突起部用組立部の両端側に位置する一対の分割面の外側縁に、それぞれ、互いに係止自在な係止部を設け、前記ｎ角錐を形成するよう前記突起部用組立部の分割面を折り曲げると共に、前記突起部用組立部の両端側に位置する一対の分割面の外側縁を前記係止部により互いに係止することにより、園芸用容器の底壁の水抜き孔に対向して配置自在な中空の前記ｎ角錐形状をなす突起部を形成自在とした。
【００１０】
請求項３に係る園芸用底敷は、ｎ個の側面のみからなり底面を有しない中空のｎ角錐台の前記側面を全て展開した平面形状の板状をなし、前記ｎ個の側面に対応する部分をｎ個の分割面とすると共に、前記ｎ個の分割面をその境界線で互いに折り曲げ自在とした板状をなす突起部用組立部を備え、前記突起部用組立部の分割面に、それぞれ、多数の排水孔を設け、前記突起部用組立部の両端側に位置する一対の分割面の外側縁に、それぞれ、互いに係止自在な係止部を設け、前記ｎ角錐台を形成するよう前記突起部用組立部の分割面を折り曲げると共に、前記突起部用組立部の両端側に位置する一対の分割面の外側縁を前記係止部により互いに係止することにより、園芸用容器の底壁の水抜き孔に対向して配置自在な中空の前記ｎ角錐台形状をなす突起部を形成自在とした。
【００１１】
請求項４に係る園芸用底敷は、請求項２または３の構成において、更に、前記突起部用組立部の分割面の底辺に突出形成されると共に、前記分割面の底辺位置で折り曲げ自在とされた平板状の平板部用縁部を備え、前記突起部を形成するよう前記突起部用組立部の分割面を折り曲げたときに、前記分割面の底辺側で前記分割面から外側に突出するよう前記平板部用縁部を折り曲げることにより、前記園芸用容器の底壁に載置自在な平板部を形成自在とした。
【００１２】
請求項５に係る園芸用底敷は、側面のみからなり底面を有しない中空の円錐の前記側面を一つの母線位置で切断して展開した平面形状の板状をなし、前記円錐の円周方向に湾曲自在とされた突起部用組立部を備え、前記突起部用組立部に多数の排水孔を設け、前記突起部用組立部の前記母線位置に対応する一対の外側縁に、それぞれ、互いに係止自在な係止部を設け、前記円錐を形成するよう前記突起部用組立部を円周方向に湾曲すると共に、前記突起部用組立部の一対の外側縁を前記係止部により互いに係止することにより、園芸用容器の底壁の水抜き孔に対向して配置自在な中空の前記円錐形状をなす突起部を形成自在とした。
【００１３】
請求項６に係る園芸用底敷は、側面のみからなり底面を有しない中空の円錐台の前記側面を一つの母線位置で切断して展開した平面形状の板状をなし、前記円錐台の円周方向に湾曲自在とされた突起部用組立部を備え、前記突起部用組立部に多数の排水孔を設け、前記突起部用組立部の前記母線位置に対応する一対の外側縁に、それぞれ、互いに係止自在な係止部を設け、前記円錐台を形成するよう前記突起部用組立部を円周方向に湾曲すると共に、前記突起部用組立部の一対の外側縁を前記係止部により互いに係止することにより、園芸用容器の底壁の水抜き孔に対向して配置自在な中空の前記円錐台形状をなす突起部を形成自在とした。
【００１４】
請求項７に係る園芸用底敷は、請求項５または６の構成において、更に、前記突起部用組立部の底辺に突出形成されると共に、前記突起部用組立部の底辺位置で折り曲げ自在とされた平板状の平板部用縁部を備え、前記突起部を形成するよう前記突起部用組立部を湾曲したときに、前記突起部用組立部の底辺側で前記突起部用組立部から外側に突出するよう前記平板部用縁部を折り曲げることにより、前記園芸用容器の底壁に載置自在な平板部を形成自在とした。
【００１５】
請求項８に係る園芸用底敷は、互いに平行に隣接配置されるよう一体形成された少なくとも一対の帯状をなす突起部用分割面を有し、前記一対の突起部用分割面をその境界線で裏面側へ折り曲げ自在とした突起部用組立部と、前記突起部用組立部の一対の突起部用分割面の幅方向両側に平行に隣接配置され、前記突起部用分割面との境界線で表面側へ折り曲げ自在となるよう一体形成された一対の帯状をなす平板部用分割面とを備え、前記突起部用組立部の突起部用分割面に多数の排水溝を設け、山形状を形成するよう前記突起部用組立部の一対の突起部用分割面を裏面側へ折り曲げることにより、園芸用容器の底壁の水抜き孔に対向して配置自在な中空の山形状をなす突起部を形成自在とすると共に、前記平板部用分割面を、前記山形状とした突起部用分割面における前記山形状の底辺から外側へ前記底辺と略同一線上に延びるよう表面側に折り曲げることにより、園芸用容器の底壁に載置自在な平板部を形成自在とし、前記突起部用分割面と前記平板部用分割面との境界線部分の表面側に、前記境界線全体に沿って延びる断面Ｖ字状の屈曲溝を形成し、前記屈曲溝部分で前記平板部用分割面を前記突起部用分割面に対して表面側へ屈曲自在とすると共に、前記屈曲溝の頂角を、前記突起部用分割面に対する前記平板部用分割面の折り曲げ状態において、前記突起部用分割面の表面及び前記平板部用分割面の表面とが形成する角度の約２分の１の角度とした。
【００１６】
請求項９に係る園芸用底敷は、請求項８の構成において、更に、前記突起部用組立部の一対の突起部用分割面の境界線部分の表面側に、前記境界線全体に沿って延びるスリット状の屈曲溝を形成し、前記一対の突起部用分割面を前記屈曲溝部分で裏面側へ屈曲自在とした。
【００１７】
請求項１０に係る園芸用底敷は、請求項８の構成において、更に、前記突起部用組立部の一対の突起部用分割面の境界線部分の裏面側に、前記境界線全体に沿って延びる逆Ｖ字状の屈曲溝を形成し、前記一対の突起部用分割面を前記屈曲溝部分で裏面側へ屈曲自在とすると共に、前記屈曲溝の頂角を、前記一対の突起部用分割面の折り曲げ状態において前記一対の突起部用分割面の裏面が形成する角度の約２倍の角度とした。
【００１８】
請求項１１に係る園芸用底敷は、互いに平行に隣接配置されるよう一体形成された少なくとも一対の帯状をなす突起部用分割面を有し、前記一対の突起部用分割面をその境界線で裏面側へ折り曲げ自在とした突起部用組立部と、前記突起部用組立部の一対の突起部用分割面の幅方向両側に平行に隣接配置され、前記突起部用分割面との境界線で表面側へ折り曲げ自在となるよう一体形成された一対の帯状をなす平板部用分割面と、前記突起部用分割面及び前記平板部用分割面の境界線方向における１以上の位置に、前記境界線方向と直交する方向に前記突起部用分割面及び前記平板部用分割面の全長を延びるよう一体的に設けられた中実の直線棒状をなす芯部とを備え、前記突起部用組立部の突起部用分割面に多数の排水溝を設け、山形状を形成するよう前記突起部用組立部の一対の突起部用分割面を裏面側へ折り曲げることにより、園芸用容器の底壁の水抜き孔に対向して配置自在な中空の山形状をなす突起部を形成自在とすると共に、前記平板部用分割面を、前記山形状とした突起部用分割面における前記山形状の底辺から外側へ前記底辺と略同一線上に延びるよう表面側に折り曲げることにより、園芸用容器の底壁に載置自在な平板部を形成自在とし、前記芯部において、前記突起部用分割面と前記平板部用分割面との境界線部分の表面側に、前記境界線に沿って延びる断面Ｖ字状の屈曲溝を形成し、前記芯部の屈曲溝部分で、前記平板部用分割面を前記突起部用分割面に対して表面側へ屈曲自在とすると共に、前記屈曲溝の頂角を、前記突起部用分割面に対する前記平板部用分割面の折り曲げ状態において、前記突起部用分割面の表面及び前記平板部用分割面の表面とが形成する角度の約２分の１の角度とした。
【００１９】
請求項１２に係る園芸用底敷は、請求項１１の構成において、更に、前記芯部において、前記突起部用組立部の一対の突起部用分割面の境界線部分の表面側に、前記境界線に沿って延びるスリット状の屈曲溝を形成し、前記一対の突起部用分割面を前記芯部の屈曲溝部分で裏面側へ屈曲自在とした。
【００２０】
請求項１３に係る園芸用底敷は、請求項１１の構成において、更に、前記芯部において、前記突起部用組立部の一対の突起部用分割面の境界線部分の裏面側に、前記境界線に沿って延びる断面逆Ｖ字状の屈曲溝を形成し、前記一対の突起部用分割面を前記芯部の屈曲溝部分で裏面側へ屈曲自在とすると共に、前記屈曲溝の頂角を、前記一対の突起部用分割面の折り曲げ状態において前記一対の突起部用分割面の裏面が形成する角度の約２倍の角度とした。
【００２１】
請求項１４に係る園芸用底敷は、互いに平行に隣接配置されるよう一体形成された少なくとも一対の帯状をなす突起部用分割面を有し、前記一対の突起部用分割面をその境界線で裏面側へ折り曲げ自在とした突起部用組立部を備え、前記突起部用組立部の突起部用分割面に多数の排水溝を設け、山形状を形成するよう前記突起部用組立部の一対の突起部用分割面を裏面側へ折り曲げることにより、園芸用容器の底壁の水抜き孔に対向して配置自在な中空の山形状をなす突起部を形成自在とし、前記突起部用組立部の一対の突起部用分割面の境界線部分の裏面側に、前記境界線全体に沿って延びる逆Ｖ字状の屈曲溝を形成し、前記屈曲溝部分で前記一対の突起部用分割面を裏面側へ屈曲自在とすると共に、前記屈曲溝の頂角を、前記一対の突起部用分割面の折り曲げ状態において前記一対の突起部用分割面の裏面が形成する角度の約２倍の角度とした。
【００２２】
請求項１５に係る園芸用底敷は、互いに平行に隣接配置されるよう一体形成された少なくとも一対の帯状をなす突起部用分割面を有し、前記一対の突起部用分割面をその境界線で裏面側へ折り曲げ自在とした突起部用組立部と、前記突起部用分割面の境界線方向における１以上の位置に、前記境界線方向と直行する方向に前記突起部用分割面の全長を延びるよう一体的に設けられた中実の直線棒状をなす芯部とを備え、前記突起部用組立部の突起部用分割面に多数の排水溝を設け、山形状を形成するよう前記突起部用組立部の一対の突起部用分割面を裏面側へ折り曲げることにより、園芸用容器の底壁の水抜き孔に対向して配置自在な中空の山形状をなす突起部を形成自在とし、前記突起部用組立部の一対の突起部用分割面の境界線部分の裏面側に、前記境界線全体に沿って延びる逆Ｖ字状の屈曲溝を形成し、前記屈曲溝部分で前記一対の突起部用分割面を裏面側へ屈曲自在とすると共に、前記屈曲溝の頂角を、前記一対の突起部用分割面の折り曲げ状態において前記一対の突起部用分割面の裏面が形成する角度の約２倍の角度とした。
【００２３】
請求項１６に係る園芸用底敷は、請求項８乃至１５のいずれかの構成において、前記屈曲溝の内側面に粘着手段を設けた。
【００２４】
請求項１７に係る園芸用底敷は、請求項８乃至１５のいずれかの構成において、前記芯部を含む前記境界線の全長にわたって延びるよう前記屈曲溝を設けた。
【００２５】
請求項１８に係る園芸用底敷は、底壁に複数の水抜き孔を有する園芸用容器に使用される園芸用底敷であって、前記園芸用容器の底壁に載置自在とされる平板部と、前記平板部を前記園芸用容器の底壁に載置したときに、前記園芸用容器の複数の水抜き孔にそれぞれ対向するよう、前記平板部に一体的に突出形成された複数の突起部とを備え、前記複数の突起部の各々を中空の錘形状とすると共に、前記複数の突起部の各々に多数の排水孔を設けた。
【００２６】
請求項１９に係る園芸用底敷は、底壁に複数の水抜き孔を有する園芸用容器に使用される園芸用底敷であって、前記園芸用容器の底壁に載置自在とされる略矩形板状の平板部と、前記平板部を前記園芸用容器の底壁に載置したときに、前記園芸用容器の複数の水抜き孔にそれぞれ対向するよう、前記平板部に一体的に突出形成された複数の突起部とを備え、前記平板部の幅方向両端に、前記平板部の平面と略直交して前記突部と反対方向に延びる脚部を一体形成して、前記平板部を前記園芸用容器の底壁に載置したときに、前記平板部が前記脚部を介して前記園芸用容器の底壁との間に間隙を置いて上方に配置されるようにすると共に、前記平板部に多数の排水孔を設け、前記複数の突起部の各々を中空の錘形状とすると共に、前記複数の突起部の各々に多数の排水孔を設けた。
【００２７】
請求項２０に係る園芸用底敷は、園芸用容器の底壁に載置自在とされる板状の平板部と、前記平板部を前記園芸用容器の底壁に載置したときに、前記園芸用容器の水抜き孔に対向するよう、前記平板部に一体的に突出形成された突起部とを備え、前記突起部を、下端を開口する中空の錘形状とすると共に、前記突起部に多数の排水孔を設け、前記平板部を、前記突起部の下端の開口の周囲から外方に広がるフランジ状の突起部側平板部と、前記突起部側平板部と同一外形を有する平板状をなし、前記突起部側平板部と同一平面上に延びるよう前記突起部側平板部に一体形成された折畳側平板部とから構成し、前記折畳側平板部を前記突起部側平板部に対して折畳んで重ね合わせ自在とすると共に、前記折畳側平板部の全面に多数の排水孔を設け、前記折畳側平板部を前記突起部側平板部に対して折畳んで重ね合わせたときに、前記折畳側平板部が前記突起部の下端の開口の全体を覆うと共に、前記折畳側平板部の多数の排水孔が前記突起部の下端の開口に配置されるようにした。
【発明の効果】
【００２８】
請求項１に係る園芸用底敷は、園芸用容器内部の排水効率、外気供給効率等を大幅に向上することができる。
【００２９】
請求項２〜１９に係る園芸用底敷は、保管スペースや運搬時のスペースを大幅に削減することのできる。
【００３０】
請求項２０に係る園芸用底敷は、園芸用容器の底壁の水抜き孔から侵入するナメクジを効果的に阻止してナメクジによる被害を確実に防止することのできる。
【発明を実施するための最良の形態】
【００３１】
以下、本発明を実施するための最良の形態（以下、実施の形態という）を説明する。なお、各実施の形態を通じ、同一の部材、要素または部分には同一の符号を付して、その説明を省略する。
【００３２】
実施の形態１
図１は本発明の実施の形態１に係る園芸用底敷を示す斜視図である。図２は本発明の実施の形態１に係る園芸用底敷を示す側面図である。図３は本発明の実施の形態１に係る園芸用底敷の突起部の頂角の好適範囲を示す説明図である。
【００３３】
実施の形態１に係る園芸用底敷は、園芸用容器の底壁に設けた水抜き孔に対向するよう前記底壁に載置自在とされる園芸用底敷に具体化される。詳細には、実施の形態１に係る園芸用底敷１０は、図１及び図２に示すように、突起部１１と平板部１２とを備えている。突起部１１は、園芸用容器１の内部に配置可能な高さの中空の略円錐形状をなしている。また、突起部１１は、平板部１２を介して、園芸用容器１の底壁２の水抜き孔２ａに対向して配置自在とされる。更に、突起部１１は、前記略円錐形状を高さ方向に上端から下端まで略一定間隔で複数段（図１の例では２段）に区画することにより、前記略円錐形状の円周方向に延びる帯状の排水部１１Ａ，１１Ｂを前記複数段（２段）形成している。更に、突起部１１は、最上段の排水部１１Aの円周方向の全長にわたって、その厚さ方向に貫通する多数の三角形状の排水孔１１ａを、互いに密接するよう略一定間隔で配置している。また、突起部１１は、二段目の排水部１１Ｂの円周方向の全長にわたって、その厚さ方向に貫通する多数の台形状の排水孔１１ｂを、互いに密接するよう略一定間隔で配置している。
【００３４】
なお、実施の形態１では、突起部１１に２段の排水部１１Ａ，１１Ｂを形成しているが、３段、４段、５段等、任意の数の段の排水部を形成することができる。そして、３段以上の排水部を突起部１１に形成した場合、突起部１１は、前記略円錐形状を高さ方向に上端から下端まで略一定間隔で複数段（３段、４段、５段等）に区画することにより、前記略円錐形状の円周方向に延びる帯状の排水部を前記複数段（３段、４段、５段等）形成することになる。更に、この場合、突起部１１は、最上段の各段の排水部の円周方向の全長にわたって、その厚さ方向に貫通する多数の三角形状の排水孔を、互いに密接するよう略一定間隔で配置し、二段目より下側の各段の排水部の円周方向の全長にわたって、その厚さ方向に貫通する多数の台形状の排水孔を、それぞれ、互いに密接するよう略一定間隔で配置することになる。ここで、排水部の段数を少なくした場合、後述するような突起部１１の排水部からの排水効率及び空気導入効率を向上することができる。よって、突起部１１の排水部からの排水効率及び空気導入効率と、突起部の排水部からの園芸用容器内の土壌流出防止効果との観点から、前記突起部１１の排水部の段数を２段とすることがもっとも好ましい。しかし、突起部１１の排水部の段数を２段以外の段数としても、十分な排水効率及び空気導入効率並びに土壌流出防止効果を達成することができる。
【００３５】
前記平板部１２は、前記突起部１１の下端の外周縁から外方に張り出し形成される略リング板形状をなしている。平板部１２は、前記略リング板形状を放射方向に略一定間隔で複数段（図１の例では３段）に区画することにより、前記略リング板形状の円周方向に延びるリング状の排水部１２Ａ，１２Ｂ，１２Ｃを前記複数段（３段）形成している。また、平板部１２は、各段の排水部１２Ａ，１２Ｂ，１２Ｃの円周方向の全長にわたって、前記排水部１２Ａ，１２Ｂ，１２Ｃの放射方向内方及び外方に延びる三角形状の排水孔１２ａ，１２ｂ，１２ｃを、交互にジグザグ状となるよう多数配置している。即ち、各段の排水部１２Ａ，１２Ｂ，１２Ｃの小孔１２ａ，１２ｂ，１２ｃのうち、一方の組の排水孔１２ａ，１２ｂ，１２ｃは、その高さ方向が排水部１２Ａ，１２Ｂ，１２Ｃの放射方向外方（平板部１２の外周側）に向かって延びるよう配置されている。また、他方の組の排水孔１２ａ，１２ｂ，１２ｃは、その高さ方向が排水部１２Ａ，１２Ｂ，１２Ｃの放射方向内方（平板部１２の中心）に向かって延びるよう配置されている。なお、排水部の放射方向内方及び外方に交互に延びる台形状の排水孔を多数配置することにより、各排水部を構成してもよい。
【００３６】
更に、実施の形態１に係る園芸用底敷１０は、上記のように、前記突起部１１の略全面に多数の排水孔１１ａ，１１ｂを設けると共に、図３に示すように、前記突起部１１の頂角θ１を約５０度の角度としている。効果確認試験によれば、突起部１１の頂角をかかる頂角θ１（約５０度）とすることが、突起部１１の排水部１１Ａ，１１Ｂによる前記排水効率及び空気導入効率の点から最も好ましい。なお、実施の形態１に係る園芸用底敷１０は、突起部１１の頂角を、上記頂角θ１以外にも、頂角θ２〜頂角θ３（約３０度〜約７０度）の範囲内の任意の角度とすれば、十分な排水孔率及び空気導入効率を得ることができる。
【００３７】
次に、上記のように構成した実施の形態１に係る園芸用底敷１０の製造方法について説明する。
実施の形態１の園芸用底敷１０は、例えば、ポリ塩化ビニル、ポリプロピレン、ポリスチレン、ＡＢＳ樹脂等の所定の樹脂材料を、射出成形等の通常の樹脂成形技術を使用して、上記突起部１１及び平板部１２を備える上記形状に一体成形することにより製造することができる。また、園芸用底敷１０は、生分解性プラスチック、古紙、再生紙等の環境に優しい材料を一体形成して製造することもできる。
【００３８】
次に、実施の形態１に係る園芸用底敷１０の使用方法及び作用について説明する。
まず、園芸用底敷１０は、植木鉢等の円筒状等の園芸用容器の底壁上面に、底壁中央に形成した水抜き孔を覆うよう載置される。即ち、突起部１１の下端の円形状の外周縁の内側または平板部１２の内周縁の内側となる円形の開口の略中央に、底壁の水抜き孔が位置するよう、園芸用底敷１０を園芸用容器の底壁上面に載置する。このとき、園芸用底敷１０を園芸用容器の底壁の水抜き孔上の所定位置に位置決めする位置決め部を、平板部１２の下面等に一体形成してもよい。例えば、平板部１２の内周縁から内方に延びる下向きのかぎ状部（フック）を一体形成し、そのかぎ状部を園芸用容器の底壁の水抜き孔に引っ掛けて、園芸用底敷１０を園芸用容器の底壁の所定位置に位置決めするようすることもできる。
【００３９】
この後、園芸用容器内に土壌を充填すると共に、植物を植えてその根を土中に保持する。このとき、園芸用底敷１０の突起部１１等により、充填土が園芸用容器の底壁の水抜き孔から落下することを防止することができる。また、植栽後の散水時には、園芸用容器内の土中に染み込んだ水の一部は、そのまま土中に保持され、土中の植物の根に吸収される。一方、園芸用容器内の土中のその他の水は、園芸用底敷１０の突起部１１の排水孔１１ａ，１１ｂ等を介して園芸用容器１の水抜き孔２ａから外部に排出される。
【００４０】
ここで、園芸用容器内部の土は、前記園芸用底敷１０の突起部１１の外周面全体、正確には、全ての排水孔１１ａ，１１ｂの合計面積の部分を介して、外気と接触する。また、外気との接触面積は、園芸用容器１の種類、寸法及び水抜き孔２ａの大きさ等に関係なく、園芸用底敷１０の寸法及び形状を変更することにより容易に変更することができる。即ち、園芸用容器１の水抜き孔２ａより園芸用底敷１０の平板部１２内周縁が大きい場合、即ち、平板部１２内周縁より内側に水抜き孔２ａ全体が位置する場合は、突起部１１の寸法を増減変更したり、突起部１１の頂角を増減変更したり、突起部１１の排水孔１１ａ，１１ｂの数及び配置密度等を増減変更したりすることにより、外気との接触面積を容易に増減変更することができる。また、園芸用容器１の水抜き孔２ａより園芸用底敷１０の平板部１２の内周縁が小さい場合、即ち、平板部１２内周縁より外側に水抜き孔２ａの一部が位置する場合は、上記突起部１１の変更に加えて、平板部１２の排水孔１２ａ，１２ｂ，１２ｃの数及び配置密度等を増減変更することにより、外気との接触面積を容易に増減変更することができる。
【００４１】
したがって、実施の形態１の園芸用底敷１０によれば、植物への散水時に園芸用容器１内部の土に進入した水の排出度合い、即ち、水はけの良さ（排出量、排出速度等）を、容易に変更及び調整することができる。よって、植物の種類によって、水はけを良くしたり、逆に、内部の水をある程度多めに確保したりすることができ、園芸用容器１内部の水の排出度合い（水はけ）を容易に制御することができる。その結果、園芸容器１内部に余分な水が滞留して植物が根腐れを起こしたり、逆に、植物の根に十分な量の水を確保できないといった不具合を防止することができる。また、上記のように、園芸容器１内部の土が外気と接触する面積を容易に調整することができるため、植物の根に対して十分な量の外気を最適な状態に調整して供給することができる。その結果、実施の形態１の園芸用底敷１０は、植物の根を良好な状態で生育させることができる。
【００４２】
更に、実施の形態１の園芸用底敷１０は、突起部１１の頂角を約３０度〜約７０の範囲内としたため、突起部１１の排水孔１１ａ，１１ｂから園芸用容器外部への排水効率（水はけ）、突起部１１の排水孔１１ａ，１１ｂから園芸用容器内部の土への空気導入効率（外気導入効率）等を、大幅に向上することができる。
【００４３】
実施の形態２
図４は本発明の実施の形態２に係る園芸用底敷の使用状態を示す説明図である。
図４に示すように、実施の形態３に係る園芸用底敷２０は、実施の形態１の園芸用底敷１０と同様の突起部２１と平板部２２とを備えている。突起部２１には、実施の形態１の排水部１１Ａ，１１Ｂと同様の排水部が形成されている。また、平板部２２には、実施の形態１の排水部１２Ａ，１２Ｂ，１２Ｃと同様の排水部が形成されている。即ち、突部２１及び平板部２２には、それぞれ、実施の形態１の排水孔１１ａ，１１ｂ及び排水孔１２ａ，１２ｂ，１２ｃと同様の多数の排水孔が形成されている。一方、実施の形態２に係る園芸用底敷２０は、特に、平板部２２の直径（外径）を実施の形態１の平板部１２より大径としている。詳細には、平板部２２は、園芸用容器１の底壁２より大径とされ、底壁２より若干上方で園芸用容器１の側壁３の内周面（傾斜面）に接触して位置決めされ、底壁２上面との間に所定の間隙を形成するようになっている。即ち、平板部２２の外周縁は間隔保持手段を構成し、突起部２１の下端が園芸用容器１の底壁２から上方に間隔を置いて配置されるよう、前記突起部２１を園芸用容器１の内部に位置決めして保持する。より詳細には、前記平板部２２の外周縁が、園芸容器１の底壁２から上方に前記間隔を置いた位置で、園芸用容器１の側壁３の内周面の周方向の全長にわたって略密接するよう、平板部２２の形状及び寸法を園芸用容器１の位置における側壁３の内周面の形状及び寸法に対応させることにより、間隔保持手段を構成している。なお、園芸用容器１の側壁３内周面の所定位置に、突起、フランジ等、平板部２２を下方から支持する部分を設けて、間隔保持手段を構成してもよい。或いは、平板部２２の下面側に、脚等、平板部２２を支持する脚状の部材を一体或いは別体に設けて、間隔保持手段を構成してもよい。それ以外の構成は、実施の形態１と同様である。
【００４４】
次に、上記のように構成した実施の形態２に係る園芸用底敷２０の使用方法並びに作用及び効果について説明する。
実施の形態２に係る園芸用底敷２０は、実施の形態１に係る園芸用底敷１０と同様にして使用され、同様の作用及び効果を発揮する。加えて、実施の形態２に係る園芸用底敷２０では、平板部２２が、園芸用容器１の底壁２より大径とされ、底壁２上面との間に所定の間隙を形成するため、突起部２１に加えて、特に、大径の平板部２２の小孔の数及び配置密度等を増減変更することにより、園芸容器１内部の土５と外気との接触面積を一層容易に増減変更することができる。例えば、平板部２２に実施の形態１と同様の密度で排水孔を形成することにより、園芸用容器１内部の土５と外気との接触面積をその分大きくすることもできる。即ち、平板部２２の排水孔の全面積と突起部２１の排水孔の全面積との合計面積を、園芸用容器１内部の土５と外気との接触面積とすることもできる。その結果、散水具７による植物６への散水時等に、園芸用容器１内部の土５に進入した水Ｗの排出度合いを、一層容易に変更及び調整することができ、根腐れ等を一層有効に防止することができる。また、園芸用容器１内部の土５への外気の供給量を一層容易に調整することができ、植物６の根６ａを一層良好に生育させることができる。なお、図４は、園芸用容器１の底部を受け皿４に収容した場合を示す。即ち、実施の形態２では、園芸用底敷２０の排水孔の合計面積を最大値とすることにより、散水直後に園芸用底敷２０を経て園芸用容器１の水抜き孔２ａから排出された水Ｗは、迅速に受け皿４に貯留され、注水量によっては園芸用容器１内部にも貯留される。
【００４５】
ところで、実施の形態１または２の園芸用底敷１０，２０では、突起部１１，２１はいずれも略円錐形状をなし、平板部１２，２２はいずれも円形の略リング板状形状をなす。しかし、実施の形態１または２では、突起部は略錐形状であればよく、例えば、略角錐状とすることもできる。また、平板部は、突起部の下端の外周形状に対応する形状であればよく、例えば、角形の略リング板形状とすることもできる。
【００４６】
実施の形態３
図５は本発明の実施の形態３に係る園芸用底敷の展開状態を示す平面図である。図６は本発明の実施の形態３に係る園芸用底敷の組立状態を示す平面図である。図７は本発明の実施の形態３に係る園芸用底敷の組立状態を示す斜視図である。
図５〜図７に示すように、実施の形態３に係る園芸用底敷３０は、突起部用組立部３１と、平板部用縁部３２Ａ，３２Ｂ，３２Ｃとを備える。突起部用組立部３１は、３個の側面のみからなり底面を有しない中空の三角錐の前記側面を全て展開した平面形状（３個の二等辺三角形または正三角形を互い違いに連結した台形状）の平板状をなす。また、突起部用組立部３１は、前記３個の側面に対応する部分を３個の分割面３１Ａ，３１Ｂ，３１Ｃとすると共に、前記３個の分割面３１Ａ，３１Ｂ，３１Ｃをその境界線で、互いに厚さ方向一側（即ち、三角錐の内側方向）へと折り曲げ自在とした平板状をなす。突起部用組立部３１の分割面３１Ａ，３１Ｂ，３１Ｃの略全面には、それぞれ、多数の排水孔３１ａ，３１ｂ，３１ｃが厚さ方向に貫通して形成されている。前記排水孔３１ａ，３１ｂ，３１ｃは、園芸用容器内の土の漏出を防止すると共に、園芸用容器内の土中の水分を排出し、かつ、園芸用容器内部へ外気を供給可能な限りにおいて、任意の形状及び寸法（径）とすることができる。
【００４７】
前記平板部用縁部３２Ａ，３２Ｂ，３２Ｃは、それぞれ、突起部用組立部３１の分割面３１Ａ，３１Ｂ，３１Ｃの底辺に突出形成されている。平板部用縁部３２Ａ，３２Ｂ，３２Ｃは、突起部用組立部３１の分割面３１Ａ，３１Ｂ，３１Ｃの底辺と同一長さの矩形または帯状の平板状をなす。平板部用縁部３２Ａ，３２Ｂ，３２Ｃは、それぞれ、突起部用組立部３１の分割面３１Ａ，３１Ｂ，３１Ｃとの境界線（分割面３１Ａ，３１Ｂ，３１Ｃの底辺位置）で折り曲げ自在とされている。各平板部用縁部３２Ａ，３２Ｂ，３２Ｃには、多数の排水孔を形成することが、排水効率等の点からは好ましいが、排水孔を形成せずに具体化することも可能である。更に、突起部用組立部３１の両端側に位置する一対の分割面３１Ａ，３１Ｃの外側縁（平板部用縁部３２Ａ，３２Ｃと反対側の側縁）には、それぞれ、互いに係止自在な対をなす係止部としての雄側係止部３５及び雌側係止部３６が一体形成されている。即ち、突起部用組立部３１の一端側に位置する分割面３１Ａの外側縁には、所定間隔を置いて一対の雄側係止部３５が、その外側縁と直交して突出するよう一体形成されている。各雄側係止部３５は、その先端に、厚さ方向に突出する小円柱状の突起を一体形成している。また、突起部用組立部３１の一端側に位置する分割面３１Ｃの外側縁には、前記一対の雄側係止部３５に対応する位置に、前記雄側係止部３５と同一の所定間隔を置いて、一対の雌側係止部３６が、前記外側縁と直交して突出するよう一体形成されている。各雌側係止部３６は、その先端に、前記雄側係止部の突起と略同一径の円形孔を有する。そして、前記一対の雄側係止部３５の突起を、一対の雌側係止部３６の円形孔内に圧入して密嵌することにより、雄側係止部３５と雌側係止部３６とを互いに容易には離脱しないよう係止自在となっている。
【００４８】
実施の形態３では、前記三角錐を形成するよう前記突起部用組立部３１の分割面３１Ａ，３１Ｂ，３１Ｃをそれらの境界線で折り曲げると共に、前記雄側係止部３５及び雌側係止部３６を互いに係止することで、突起部用組立部３１の両端側に位置する一対の分割面３１Ａ，３１Ｃの外側縁を互いに係止することにより、園芸用容器の底壁の水抜き孔に対向して配置自在な中空の前記三角錐形状をなす突起部３１Ｘ（即ち、組立状態の突起部用組立部３１）を形成自在となっている。また、三角錐形状の突起部３１を形成するよう、前記突起部用組立部３１の分割面３１Ａ，３１Ｂ，３１Ｃを折り曲げたときに、分割面３１Ａ，３１Ｂ，３１Ｃの底辺側で分割面３１Ａ，３１Ｂ，３１Ｃから外側に突出するよう平板部用縁部３２Ａ，３２，３２Ｃを折り曲げることにより、園芸用容器の底壁に載置自在な平板部（即ち折曲状態の平板部用縁部３２Ａ，３２Ｂ，３２Ｃ）を形成自在となっている。
【００４９】
次に、上記のように構成した実施の形態３に係る園芸用底敷３０の製造方法及び使用方法並びに作用及び効果について説明する。
実施の形態３に係る園芸用底敷３０は、実施の形態１に係る園芸用底敷１０と同様にして、合成樹脂等の材料を前記展開状態の形状に一体成形することにより製造することができ、実施の形態１に係る園芸用底敷１０と同様にして使用することができ、実施の形態１に係る園芸用底敷１０と同様の作用及び効果を発揮する。加えて、実施の形態３に係る園芸用底敷３０は、園芸用容器に載置される使用時には、図６及び図７に示すように、前記突起用組立部３１を立体形状（三次元形状）としての三角錐形状となるよう組立状態とすると共に、平板部用縁部３２Ａ，３２Ｂ，３２Ｃを折曲状態とすることにより、実施の形態１と同様の効果を発揮できる。一方、実施の形態３に係る園芸用底敷３０は、非使用時（保管時、店舗陳列時、運搬時等）には、図５に示すように、平面形状（二次元形状）となるよう突起部用組立部３１Ａ，３１Ｂ，３１Ｃ及び平板部用縁部３２Ａ，３２Ｂ，３２Ｃを展開状態とすることにより、保管スペース、陳列スペース、運搬スペース等の各スペースを大幅に削減して、保管コスト、運搬コスト等を大幅に削減することができる。
【００５０】
実施の形態４
図８は本発明の実施の形態４に係る園芸用底敷の展開状態を示す平面図である。図９は本発明の実施の形態４に係る園芸用底敷の組立状態を示す平面図である。図１０は本発明の実施の形態４に係る園芸用底敷の組立状態を示す斜視図である。
実施の形態４に係る園芸用底敷４０は、突起部を中空の四角錐形状とした点において実施の形態３と異なる。詳細には、図８〜図１０に示すように、実施の形態４に係る園芸用底敷４０は、突起部用組立部４１と、平板部用縁部４２Ａ，４２Ｂ，４２Ｃ，４２Ｄとを備える。突起部用組立部４１は、４個の側面のみからなり底面を有しない中空の四角錘の前記側面を全て展開した平面形状（４個の二等辺三角形または正三角形を互い違いに連結した形状）の平板状をなす。また、突起部用組立部４１は、前記４個の側面に対応する部分を４個の分割面４１Ａ，４１Ｂ，４１Ｃ，４１Ｄとすると共に、前記４個の分割面４１Ａ，４１Ｂ，４１Ｃ，４１Ｄをその境界線で、互いに厚さ方向一側（即ち、四角錐の内側方向）へと折り曲げ自在とした平板状をなす。突起部用組立部４１の分割面４１Ａ，４１Ｂ，４１Ｃの略全面には、それぞれ、多数の排水孔４１ａ，４１ｂ，４１ｃ，４１ｃが厚さ方向に貫通して形成されている。前記排水孔４１ａ，４１ｂ，４１ｃ，４１ｄは、園芸用容器内の土の漏出を防止すると共に、園芸用容器内の土中の水分を排出し、かつ、園芸用容器内部へ外気を供給可能な限りにおいて、任意の形状及び寸法（径）とすることができる。
【００５１】
前記平板部用縁部４２Ａ，４２Ｂ，４２Ｃ，４２Ｄは、それぞれ、突起部用組立部４１の分割面４１Ａ，４１Ｂ，４１Ｃ，４１Ｄの底辺に突出形成されている。平板部用縁部４２Ａ，４２Ｂ，４２Ｃ，４２Ｄは、突起部用組立部４１の分割面４１Ａ，４１Ｂ，４１Ｃ，４１Ｃの底辺と同一長さの矩形または帯状の平板状をなす。平板部用縁部４２Ａ，４２Ｂ，４２Ｃ，４２Ｄは、それぞれ、突起部用組立部４１の分割面４１Ａ，４１Ｂ，４１Ｃ，４１Ｄとの境界線（分割面４１Ａ，４１Ｂ，４１Ｃ，４１Ｄの底辺位置）で折り曲げ自在とされている。各平板部用縁部４２Ａ，４２Ｂ，４２Ｃ，４２Ｄには、多数の排水孔を形成することが、排水効率等の点からは好ましいが、排水孔を形成せずに具体化することも可能である。更に、突起部用組立部４１の両端側に位置する一対の分割面４１Ａ，４１Ｄの外側縁（平板部用縁部４２Ａ，４２Ｄと反対側の側縁）には、それぞれ、実施の形態３と同様にして、前記雄側係止部５及び雌側係止部３６が一体形成されている。
【００５２】
実施の形態４に係る園芸用底敷４０では、前記四角錐を形成するよう前記突起部用組立部４１の分割面４１Ａ，４１Ｂ，４１Ｃ，４１Ｄをそれらの境界線で折り曲げると共に、前記雄側係止部３５及び雌側係止部３６を互いに係止することで、突起部用組立部４１の両端側に位置する一対の分割面４１Ａ，４１Ｄの外側縁を互いに係止することにより、園芸用容器の底壁の水抜き孔に対向して配置自在な中空の前記四角錐形状をなす突起部４１Ｘ（即ち、組立状態の突起部用組立部４１）を形成自在となっている。また、四角錐形状の突起部４１を形成するよう、前記突起部用組立部４１の分割面４１Ａ，４１Ｂ，４１Ｃ，４１Ｄを折り曲げたときに、分割面４１Ａ，４１Ｂ，４１Ｃ，４１Ｄの底辺側で分割面４１Ａ，４１Ｂ，４１Ｃ，４１Ｄから外側に突出するよう平板部用縁部４２Ａ，４２，４２Ｃを折り曲げることにより、園芸用容器の底壁に載置自在な平板部（即ち折曲状態の平板部用縁部４２Ａ，４２Ｂ，４２Ｃ，４２Ｄ）を形成自在となっている。
【００５３】
次に、上記のように構成した実施の形態４に係る園芸用底敷４０の製造方法及び使用方法並びに作用及び効果について説明する。
実施の形態４に係る園芸用底敷４０は、実施の形態１に係る園芸用底敷１０と同様にして、合成樹脂等の材料を前記展開状態の形状に一体成形することにより製造することができ、実施の形態１に係る園芸用底敷１０と同様にして使用することができ、実施の形態１に係る園芸用底敷１０と同様の作用及び効果を発揮する。加えて、実施の形態４に係る園芸用底敷４０は、実施の形態３に係る園芸用底敷３０と同様の追加的な効果を発揮する。即ち、実施の形態４に係る園芸用底敷４０は、園芸用容器に載置される使用時には、図９及び図１０に示すように、前記突起用組立部４１を立体形状（三次元形状）としての三角錐形状となるよう組立状態とすると共に、平板部用縁部４２Ａ，４２Ｂ，４２Ｃ、４２Ｄを折曲状態とすることにより、実施の形態１と同様の効果を発揮できる。一方、実施の形態４に係る園芸用底敷４０は、非使用時（保管時、店舗陳列時、運搬時等）には、図８に示すように、平面形状（二次元形状）となるよう突起部用組立部４１Ａ，４１Ｂ，４１Ｃ，４１Ｄ及び平板部用縁部４２Ａ，４２Ｂ，４２Ｃ，４２Ｄを展開状態とすることにより、保管スペース、陳列スペース、運搬スペース等の各スペースを大幅に削減して、保管コスト、運搬コスト等を大幅に削減することができる。
【００５４】
実施の形態５
図１１は本発明の実施の形態５に係る園芸用底敷の展開状態を示す平面図である。
図１１に示すように、実施の形態５に係る園芸用底敷５０は、実施の形態３に係る園芸用底敷３０とほぼ同様の構成を有し、突起部用組立部３１及び平板部用縁部３２Ａ，３２Ｂ，３２Ｃを備える。一方、実施の形態５に係る園芸用底敷５０は、実施の形態３の園芸用底敷３０の雄側係止部３５及び雌側係止部３６の代わりに、突起部用組立部３１の両端側に位置する一対の分割面３１Ａ，３１Ｃの外側縁（平板部用縁部３２Ａ，３２Ｃと反対側の側縁）に、それぞれ、互いに係止自在な対をなす係止部としての雄側係止部５５及び雌側係止部５６を一体形成している。詳細には、突起部用組立部３１の一端側に位置する分割面３１Ａの外側縁には、所定間隔を置いてｍ個（図１１では５個）の雄側係止部５５が、その外側縁と直交して突出するよう一体形成されている。各雄側係止部５５は、Ｔ字板状をなし、その基端を分割面３１Ａの外側縁に固着している。そして、隣接する雄側係止部５５の間には、それぞれ、ｍ−１個の逆Ｔ字状の間隙が形成されている。また、突起部用組立部３１の一端側に位置する分割面３１Ｃの外側縁には、前記雄側係止部５５間の逆Ｔ字状の間隙に対応する位置に、前記雄側係止部５５間の間隙と同一の所定間隔を置いて、前記間隙と同一数であるｍ−１個（図１１では４個）の雌側係止部５６が、前記外側縁と直交して突出するよう一体形成されている。各雌側係止部５６は、前記雄側係止部５５と同様のＴ字板状をなし、その基端を分割面３１Ｃの外側縁に固着している。そして、前記ｍ−１個のＴ字状の雌側係止部５６の突起を、ｍ個の雄側係止部５５間に形成されるｍ−１個の逆Ｔ字状の間隙３６内に圧入して密嵌することにより、雄側係止部５５と雌側係止部５６とを互いに容易には離脱しないよう係止自在となっている。
【００５５】
実施の形態５では、前記三角錐を形成するよう前記突起部用組立部３１の分割面３１Ａ，３１Ｂ，３１Ｃをそれらの境界線で折り曲げると共に、前記雄側係止部５５及び雌側係止部５６を互いに係止することで、突起部用組立部３１の両端側に位置する一対の分割面３１Ａ，３１Ｃの外側縁を互いに係止することにより、園芸用容器の底壁の水抜き孔に対向して配置自在な中空の前記三角錐形状をなす突起部３１Ｘ（即ち、組立状態の突起部用組立部３１）を形成自在となっている。また、三角錐形状の突起部３１を形成するよう、前記突起部用組立部３１の分割面３１Ａ，３１Ｂ，３１Ｃを折り曲げたときに、分割面３１Ａ，３１Ｂ，３１Ｃの底辺側で分割面３１Ａ，３１Ｂ，３１Ｃから外側に突出するよう平板部用縁部３２Ａ，３２，３２Ｃを折り曲げることにより、園芸用容器の底壁に載置自在な平板部（即ち折曲状態の平板部用縁部３２Ａ，３２Ｂ，３２Ｃ）を形成自在となっている。
【００５６】
次に、上記のように構成した実施の形態５に係る園芸用底敷５０の製造方法及び使用方法並びに作用及び効果について説明する。
実施の形態５に係る園芸用底敷５０は、実施の形態１に係る園芸用底敷１０と同様にして、合成樹脂等の材料を前記展開状態の形状に一体成形することにより製造することができ、実施の形態１に係る園芸用底敷１０と同様にして使用することができ、実施の形態１に係る園芸用底敷１０と同様の作用及び効果を発揮する。加えて、実施の形態５に係る園芸用底敷５０は、実施の形態３に係る園芸用底敷３０と同様の追加的な効果を発揮する。
【００５７】
実施の形態６
図１２は本発明の実施の形態６に係る園芸用底敷の展開状態を示す平面図である。
図１２に示すように、実施の形態６に係る園芸用底敷６０は、実施の形態４に係る園芸用底敷４０とほぼ同様の構成を有し、突起部用組立部４１及び平板部用縁部４２Ａ，４２Ｂ，４２Ｃ，４２Ｄを備える。一方、実施の形態６に係る園芸用底敷６０は、実施の形態４の園芸用底敷４０の雄側係止部３５及び雌側係止部３６の代わりに、突起部用組立部４１の両端側に位置する一対の分割面４１Ａ，４１Ｄの外側縁（平板部用縁部４２Ａ，４２Ｄと反対側の側縁）に、それぞれ、実施の形態５と同様にして、互いに係止自在な対をなす係止部としての雄側係止部５５及び雌側係止部５６を一体形成している。
【００５８】
実施の形態６では、前記四角錐を形成するよう前記突起部用組立部４１の分割面４１Ａ，４１Ｂ，４１Ｃ，４１Ｄをそれらの境界線で折り曲げると共に、前記雄側係止部５５及び雌側係止部５６を互いに係止することで、突起部用組立部４１の両端側に位置する一対の分割面４１Ａ，４１Ｄの外側縁を互いに係止することにより、園芸用容器の底壁の水抜き孔に対向して配置自在な中空の前記四角錐形状をなす突起部４１Ｘ（即ち、組立状態の突起部用組立部４１）を形成自在となっている。また、四角錐形状の突起部４１を形成するよう、前記突起部用組立部４１の分割面４１Ａ，４１Ｂ，４１Ｃ，４１Ｄを折り曲げたときに、分割面４１Ａ，４１Ｂ，４１Ｃ，４１Ｄの底辺側で分割面４１Ａ，４１Ｂ，４１Ｃ，４１Ｄから外側に突出するよう平板部用縁部４２Ａ，４２，４２Ｃを折り曲げることにより、園芸用容器の底壁に載置自在な平板部（即ち折曲状態の平板部用縁部４２Ａ，４２Ｂ，４２Ｃ，４２Ｄ）を形成自在となっている。
【００５９】
次に、上記のように構成した実施の形態６に係る園芸用底敷６０の製造方法及び使用方法並びに作用及び効果について説明する。
実施の形態６に係る園芸用底敷６０は、実施の形態１に係る園芸用底敷１０と同様にして、合成樹脂等の材料を前記展開状態の形状に一体成形することにより製造することができ、実施の形態１に係る園芸用底敷１０と同様にして使用することができ、実施の形態１に係る園芸用底敷１０と同様の作用及び効果を発揮する。加えて、実施の形態６に係る園芸用底敷６０は、実施の形態４に係る園芸用底敷４０と同様の追加的な効果を発揮する。
【００６０】
ところで、上記実施の形態３に係る園芸用底敷３０及び実施の形態５に係る園芸用底敷５０では、突起部３１Ｘを中空の三角錐形状とし、実施の形態４に係る園芸用底敷４０及び実施の形態６に係る園芸用底敷６０では、突起部４１Ｘを四角錘形状としている。しかし、実施の形態３〜６に係る園芸用底敷は、ｎ個の側面のみからなり底面を有しない中空のｎ角錐の前記側面を全て展開した平面形状の板状をなし、前記ｎ個の側面に対応する部分をｎ個の分割面とすると共に、前記ｎ個の分割面をその境界線で互いに（厚さ方向一側、即ち、ｎ角錐の内側へと）折り曲げ自在とした板状をなす突起部用組立部を備え、前記突起部用組立部の分割面の略全面に、それぞれ、多数の排水孔を設け、前記突起部用組立部の両端側に位置する一対の分割面の外側縁に、それぞれ、互いに係止自在な係止部を設け、前記ｎ角錐を形成するよう前記突起部用組立部の分割面を折り曲げると共に、前記突起部用組立部の両端側に位置する一対の分割面の外側縁を前記係止部により互いに係止することにより、園芸用容器の底壁の水抜き孔に対向して配置自在な中空の前記ｎ角錐形状をなす突起部を形成自在とするものであればよい。即ち、実施の形態３〜６に係る園芸用底敷は、突起部がその他の各錐形状となるよう具体化することができる。
【００６１】
また、実施の形態３〜６に係る園芸用底敷は、ｎ個の側面のみからなり底面を有しない中空のｎ角錐台の前記側面を全て展開した平面形状の板状をなし、前記ｎ個の側面に対応する部分をｎ個の分割面とすると共に、前記ｎ個の分割面をその境界線で互いに折り曲げ自在とした板状をなす突起部用組立部を備え、前記突起部用組立部の分割面の略全面に、それぞれ、多数の排水孔を設け、前記突起部用組立部の両端側に位置する一対の分割面の外側縁に、それぞれ、互いに係止自在な係止部を設け、前記ｎ角錐台を形成するよう前記突起部用組立部の分割面を折り曲げると共に、前記突起部用組立部の両端側に位置する一対の分割面の外側縁を前記係止部により互いに係止することにより、園芸用容器の底壁の水抜き孔に対向して配置自在な中空の前記ｎ角錐台形状をなす突起部を形成自在とすることも可能である。即ち、実施の形態３〜６に係る園芸用底敷は、突起部が任意の各錐台形状となるよう具体化することができる。
【００６２】
更に、実施の形態３〜６に係る園芸用底敷は、側面のみからなり底面を有しない中空の円錐の前記側面を一つの母線位置で切断して展開した平面形状（所定中心角の平面略扇形状）の板状をなし、前記円錐の円周方向に湾曲自在とされた突起部用組立部を備え、前記突起部用組立部の略全面に多数の排水孔を設け、前記突起部用組立部の前記母線位置に対応する一対の外側縁に、それぞれ、互いに係止自在な係止部を設け、前記円錐を形成するよう前記突起部用組立部を円周方向に湾曲すると共に、前記突起部用組立部の一対の外側縁を前記係止部により互いに係止することにより、園芸用容器の底壁の水抜き孔に対向して配置自在な中空の前記円錐形状をなす突起部を形成自在とすることも可能である。即ち、実施の形態３〜６に係る園芸用底敷は、突起部が任意の円錐形状となるよう具体化することができる。
【００６３】
更にまた、実施の形態３〜６に係る園芸用底敷は、側面のみからなり底面を有しない中空の円錐台の前記側面を一つの母線位置で切断して展開した平面形状（所定中心角の平面略扇形状）の板状をなし、前記円錐台の円周方向に湾曲自在とされた突起部用組立部を備え、前記突起部用組立部（の略全面）に多数の排水孔を設け、前記突起部用組立部の前記母線位置に対応する一対の外側縁に、それぞれ、互いに係止自在な係止部を設け、前記円錐台を形成するよう前記突起部用組立部を円周方向に湾曲すると共に、前記突起部用組立部の一対の外側縁を前記係止部により互いに係止することにより、園芸用容器の底壁の水抜き孔に対向して配置自在な中空の前記円錐台形状をなす突起部を形成自在とすることも可能である。即ち、実施の形態３〜６に係る園芸用底敷は、突起部が任意の円錐台形状となるよう具体化することができる。
【００６４】
加えて、上記いずれの場合も、更に、前記突起部用組立部の底辺に突出形成されると共に、前記突起部用組立部の底辺位置で折り曲げ自在とされた平板状の平板部用縁部を備え、前記突起部を形成するよう前記突起部用組立部を湾曲したときに、前記突起部用組立部の底辺側で前記突起部用組立部から外側に突出するよう前記平板部用縁部を折り曲げることにより、前記園芸用容器の底壁に載置自在な平板部を形成自在とすることが可能である。また、実施の形態３〜６の園芸用底敷３０〜６０は、それぞれ、突起部用組立部３１，４１の分割面３１Ａ〜３１Ｃ，４１Ａ〜４１Ｄ及び平板部用縁部３２Ａ〜３２Ｃ，４２Ａ〜４２Ｄが、前記展開状態としたときに略同一平面上に形状維持されると共に、使用時には手指による外力により容易に屈曲状態となるよう、それらの境界線部分の肉厚や剛性等を設定することも可能である。或いは、それとは逆に、実施の形態３〜６の園芸用底敷３０〜６０は、それぞれ、突起部用組立部３１，４１の分割面３１Ａ〜３１Ｃ，４１Ａ〜４１Ｄ及び平板部用縁部３２Ａ〜３２Ｃ，４２Ａ〜４２Ｄが、前記展開状態としたときに、自重または若干の外力により容易に屈曲するよう、それらの境界線部分の肉厚や剛性等を設定することも可能である。
【００６５】
実施の形態７
図１３は本発明の実施の形態７に係る園芸用底敷の組立状態を示す斜視図である。
図１３に示すように、実施の形態７に係る園芸用底敷７０は、突起部用組立部７１と、平板部用分割面７２Ａ，７２Ｂ，７２Ｃとを備える。詳細には、実施の形態７に係る園芸用底敷７０は、２つの突起部用組立部７１と、３つの平板部用分割面７２Ａ，７２Ｂ，７２Ｃとを備える。各突起部用組立部７１は、互いに平行に隣接配置されるよう一体形成された一対の帯状の突起部用分割面７１Ａ，７１Ｂを互いに平行に配置している。各対の突起部用分割面７１Ａ，７１Ｂは、その境界線７１ｘで裏面側へ折り曲げることにより山形状を形成自在となっている。また、各平板部用分割面７２Ａ，７２Ｂ，７２Ｃは、突起部用組立部７１と同一長さの帯板状をなす。実施の形態７では、２つの突起部用組立部７１が、中央の平板部用分割面７２Ｃを間に挟んで、互いに平行となるよう配置されている。また、２つの突起部用組立部７１の外側には、左右一対の平板部用分割面７２Ａ，７２Ｂが、それぞれ平行に配置されている。具体的には、一方の突起部用組立部７１の幅方向一側縁（突起部用分割面７１Ａの外側縁）に接して、一方の平板部用分割面７２Ａが平行に隣接配置されている。また、他方の突起部用組立部７１の幅方向他側縁（突起部用分割面７１Ｂの外側縁）に接して、他方の平板部用分割面７２Ｂが平行に隣接配置されている。そして、平板部用分割面７２Ａ，７２Ｂは、突起部用分割面７１Ａ，７１Ｂとの境界線で表面側へ折り曲げ自在となるよう、突起部用分割面７１Ａ，７１Ｂに一体形成されている。
【００６６】
突起部用組立部７１の突起部用分割面７１Ａ，７１Ｂの略全面には、それぞれ、多数の排水孔７１ａ，７２ｂが厚さ方向に貫通して形成されている。前記排水孔７１ａ，７２ｂは、園芸用容器内の土の漏出を防止すると共に、園芸用容器内の土中の水分を排出し、かつ、園芸用容器内部へ外気を供給可能な限りにおいて、任意の形状及び寸法（径）とすることができる。また、各平板部用分割面７２Ａ，７２Ｂ，７２Ｃには、多数の排水孔７２ａ，７２ｂ，７２ｃが厚さ方向に貫通して形成されている。しかし、実施の形態７に係る園芸用底敷７０は、各平板部用分割面７２Ａ，７２Ｂ，７２Ｃに排水孔を形成せずに具体化することも可能である。なお、図１３では、各排水孔７１ａ、７１ｂ及び各排水孔７２ａ，７２ｂ，７２ｃは、矩形状または略正方形状とされている。即ち、図１３の園芸用底敷７０は、ネット状（網状）をなす所定肉厚の平板を、２つの突起部用組立部７１及び３つの平板部用分割面７２Ａ，７２Ｂ，７２Ｃに区画（分割）すると共に、それらを互いに折り曲げ（屈曲）自在とし、それらの全面に多数の排水孔７１ａ、７１ｂ及び排水孔７２ａ，７２ｂ，７２ｃを設けたものに具体化されている。
【００６７】
実施の形態７に係る園芸用底敷７０は、更に、一方の突起部用組立部７１の外側の突起部用分割面７１Ａと平板部用分割面７２Ａとの間の境界線７２ｘ部分、他方の突起部用組立部７１の外側の突起部用分割面７１Ｂと平板部用分割面７２Ｂとの間の境界線７２ｘ部分、一方の突起部用組立部７１の内側の突起部用分割面７１Ｂと平板部用分割面７２Ｃとの間の境界線７２ｘ部分、他方の突起部用組立部７１の内側の突起部用分割面７１Ａと平板部用分割面７２Ｃとの間の境界線７２ｘ部分のそれぞれの表面側に、園芸用底敷７０の境界線７２ｘ部分の肉厚の途中まで（即ち、その表面から裏面近傍まで）切れ込むよう、前記境界線７２ｘの全長を延びる断面Ｖ字状の屈曲溝を形成している。なお、かかる屈曲溝は、園芸用底敷７０において前記排水孔７１ａ、７１ｂ及び排水孔７２ａ，７２ｂ，７２ｃが存在しない中実の直線棒状体部分（隣接する排水孔７１ａ、７１ｂまたは排水孔７２ａ，７２ｂ，７２ｃ間の中実部分）に設けられる。これにより、前記境界線７２ｘの屈曲溝部分で、左右一対の平板部用分割面７２Ａ，７２Ｂを一方及び他方の突起部用組立部７１の外側で対をなす突起部用分割面７１Ａ，７１Ｂに対してそれぞれ表面側へ屈曲自在としている。また、前記境界線７２ｘの屈曲溝部分で、中央の平板部用分割面７２Ｃを一方及び他方の突起部用組立部７１の内側で対をなす突起部用分割面７１Ｂ，７１Ａに対して表面側へ屈曲自在としている。なお、図１３は、園芸用底敷７０の組立状態（各突起部用組立部７１の突起部用分割面７１Ａ，７１Ｂ及び平板部用分割面７２Ａ，７２Ｂ，７２Ｃの全てを折り曲げて使用時の形状とした状態）を示し、前記境界線７２ｘの屈曲溝は、そのＶ字状の両面を互いに密接して消失し、境界線７２ｘが表面側で直線状（細線状）に表れている。一方、各突起部用組立部の一対の突起部用分割面７１Ａ，７１Ｂ間の境界線部分の表面側には、前記境界線全体に沿って延びるスリット状の屈曲溝が形成され、前記一対の突起部用分割面７１Ａ，７１Ｂが前記屈曲溝部分で裏面側へ容易に屈曲自在となっている。
【００６８】
即ち、実施の形態７に係る園芸用底敷７０は、山形状を形成するよう前記突起部用組立部７１の一対の突起部用分割面７１Ａ，７１Ｂを前記屈曲溝７１ｘを介して裏面側へ折り曲げることにより、園芸用容器の底壁の水抜き孔に対向して配置自在な中空の山形状をなす突起部７１Ｘ（屈曲状態の突起部用組立部７１）を形成自在となっている。また、実施の形態７に係る園芸用底敷７０は、左右一対の平板部用分割面７２Ａ，７２Ｂを、前記山形状とした突起部用分割面７１Ａ，７１Ｂにおける前記山形状の底辺から外側へ前記底辺と略同一線上に延びるよう前記屈曲溝７２ｘを介して表面側に折り曲げることにより、園芸用容器の底壁に載置自在な平板部（屈曲状態の平板部用分割面７２Ａ，７２Ｂ，７２Ｃ）を形成自在となっている。
【００６９】
ここで、実施の形態７に係る園芸用底敷７０は、その展開状態（各突起部用組立部７１の突起部用分割面７１Ａ，７１Ｂ及び平板部用分割面７２Ａ，７２Ｂ，７２Ｃの全てを展開して同一平面上に配置した状態）における前記境界線７２ｘの屈曲溝の頂角を、突起部用分割面７１Ａ，７１Ｂに対する平板部用分割面７２Ａ，７２Ｂ，７２Ｃの折り曲げ状態において、突起部用分割面７１Ａ，７１Ｂの表面及び平板部用分割面７２Ａ，７２Ｂ，７２Ｃの表面が形成する角度の約２分の１の角度（即ち、前記一対の突起部用分割面７１Ａ，７１Ｂが折り曲げ状態で形成する前記山形状の底辺の内角と略同一角度）としている。これにより、左右一対の平板部用分割面７２Ａ，７２Ｂを、その展開状態から、一方及び他方の突起部用組立部７１の外側で対をなす突起部用分割面７１Ａ，７１Ｂに対してそれぞれ表面側へ屈曲したときに、前記境界線７２ｘの屈曲溝は、そのＶ字状の両面を互いに密接して消失し、境界線７２ｘが表面側で直線状（細線状）に表れる。そして、このとき、左右一対の平板部用分割面７２Ａ，７２Ｂが、一方及び他方の突起部用組立部７１の外側で対をなす突起部用分割面７１Ａ，７１Ｂに対して、各突起部用組立部７１が形成する前記山形状の底辺と同一線上を外側へと延び、前記屈曲溝の密接する両側面により、そのままの角度で固定される。また、前記境界線７２ｘの屈曲溝部分で、中央の平板部用分割面７２Ｃを一方及び他方の突起部用組立部７１の内側で対をなす突起部用分割面７１Ｂ，７１Ａに対して表面側へ屈曲したときに、前記境界線７２ｘの屈曲溝は、そのＶ字状の両面を互いに密接して消失し、境界線７２ｘが表面側で直線状（細線状）に表れる。そして、このとき、中央の平板部用分割面７２Ｃが、一方及び他方の突起部用組立部７１の内側で対をなす突起部用分割面７１Ｂ，７１Ａに対して、各突起部用組立部７１が形成する前記山形状の底辺と同一線上を内側へと延び、前記屈曲溝の密接する両側面により、そのままの角度で固定される。一方、各突起部用組立部の一対の突起部用分割面７１Ａ，７１Ｂはその間の境界線部分の屈曲溝により、互いに表面側に屈曲して山形状となり、境界線部分の屈曲溝は、前記スリット状から断面Ｖ字状へと拡がる。その結果、平面部用分割面７２Ａ，７２Ｂ，７２Ｃが、同一平面上を水平に延びるよう配置されると共に、２つの突起部用組立部が、前記同一平面上を水平に延びる平面部用分割面７２Ａ，７２Ｂ，７２Ｃの間で、上方へと山形状（二等辺三角形状）となって延びる。
【００７０】
次に、上記のように構成した実施の形態７に係る園芸用底敷７０の製造方法及び使用方法並びに作用及び効果について説明する。
実施の形態７に係る園芸用底敷７０は、実施の形態１に係る園芸用底敷１０と同様にして、合成樹脂等の材料を前記展開状態の形状に一体成形することにより製造することができ、実施の形態１に係る園芸用底敷１０と同様にして使用することができ、実施の形態１に係る園芸用底敷１０と同様の作用及び効果を発揮する。加えて、実施の形態７に係る園芸用底敷７０は、園芸用容器に載置される使用時には、図１３に示すように、前記突起用組立部７１を立体形状（山形状）となるよう組立状態とすると共に、平板部用分割面７２Ａ，７２Ｂ，７２Ｃを折曲状態として水平状態とすることにより、上記各実施の形態で述べたような排水効果及び外気導入効果を発揮できる。一方、実施の形態７に係る園芸用底敷７０は、非使用時（保管時、店舗陳列時、運搬時等）には、図示はしないが、平面形状（二次元形状）となるよう突起部用組立部７１Ａ，７１Ｂ及び平板部用分割面７２Ａ，７２Ｂ，７２Ｃを展開状態とすることにより、保管スペース、陳列スペース、運搬スペース等の各スペースを大幅に削減して、保管コスト、運搬コスト等を大幅に削減することができる。
【００７１】
ここで、実施の形態７に係る園芸用底敷７０は、特に、長尺（長方形箱状）の園芸用容器に使用される。また、実施の形態７の園芸用底敷７０は、上記折り曲げ状態（屈曲状態）で、山形状（断面三角形状）の突起部７１を幅方向に複数（図１３の例では２個）連続した形状となる。そして、かかる折り曲げ状態の園芸用底敷７０は、長方形箱状の園芸用容器の内部に収容して、底壁の上面の略全体を覆うよう載置される。すると、園芸用底敷７０の突起部７１Ｘが園芸用容器の底壁の複数の水抜き孔に対向して配置され、上記の排水効果及び外気供給効果を発揮する。一方、園芸用容器の底壁に載置したとき、園芸用底敷７０の幅方向両側に位置する左右一対の平板部用分割面７２Ａ，７２Ｂが、隣接する突起部用分割面７１Ａ，７１Ｂに対して、前記Ｖ溝状の屈曲溝の作用により、水平状態を維持して園芸用容器の底壁に略密接する。よって、平板部用分割面７２Ａ，７２Ｂが園芸用容器の底壁から浮き上がることにより、突起部７１Ｘの山形状が広がって崩れるといった不具合を有効に防止することができ、突起部７１Ｘの山形状の頂角を好ましい角度（例えば、実施の形態１のような約３０度〜約７０度または約５０度）に安定して維持して、排水効率及び外気導入効率等を大幅に向上することができる。
【００７２】
実施の形態８
図１４は本発明の実施の形態８に係る園芸用底敷の展開状態を示す平面図である。図１５は本発明の実施の形態８に係る園芸用底敷の展開状態を示す正面図である。図１６は本発明の実施の形態８に係る園芸用底敷の組立状態を示す側面図である。
実施の形態８に係る園芸用底敷８０は、実施の形態７に係る園芸用底敷７０に芯部８５を設けたものであり、その他の構成は、実施の形態７に係る園芸用底敷７０と同様である。詳細には、実施の形態８に係る園芸用底敷８０は、図１４〜図１６に示すように、前記２つの突起部用組立部７１と、前記３つの平板部用分割面７２Ａ，７２Ｂ，７２Ｃとを備えている。なお、説明の便宜上、図１４は、左側の平面部用分割面７２Ａ、左側の突起部用組立部７１及び中央の平面部用分割面７２Ｃのみ示し、右側の突起部用組立部７１及び右側の平面部用分割面７２Ｂの図示を省略している。また、図１５は、左側の平面部用分割面７２Ａ、左側の突起部用組立部７１及び中央の平面部用分割面７２Ｃ、右側の突起部用組立部７１の一部のみ示し、右側の平面部用分割面７２Ｂの図示を省略している。一方、実施の形態８に係る園芸用底敷では、芯部８５は、突起部用組立部７１の突起部用分割面７１Ａ，７１Ｂ及び平板部用分割面７２Ａ，７２Ｂ，７２Ｃの境界線方向（図１４中の上下方向または園芸用底敷８０の長さ方向）における１以上の位置に設けられている。詳細には、芯部８５は、園芸用底敷８０の長さ方向両端位置と、その両端間を６箇所に均等に分割した位置にそれぞれ設けられ、合計で８個の芯部８５が設けられている。各芯部８５は、前記境界線方向と直交する方向（図１４中の左右方向または園芸用底敷８５の幅方向）に突起部用分割面７１Ａ，７１Ｂ及び平板部用分割面７２Ａ，７２Ｂ，７２Ｃの全長を延びるよう一体形成されている。また、各芯部８５は、突起部用組立部７１の突起部用分割面７１Ａ，７１Ｂ及び平板部用分割面７２Ａ，７２Ｂ，７２Ｃより厚肉とされた中実の直線棒状をなす。
【００７３】
各芯部８５において、各突起部用分割面７１Ａ，７１Ｂと各平板部用分割面７２Ａ，７２Ｂ，７２Ｃとの境界線部分の表面側には、芯部８５の肉厚の途中まで（即ち、その表面から裏面近傍まで）切れ込むよう、前記境界線に沿って（境界線と同一線上を）延びる断面Ｖ字状の屈曲溝８５ａが形成されている。即ち、各芯部８５は、突起部用組立部７１及び平板部用分割面７２Ａ，７２Ｂ，７２Ｃより肉厚とされ、突起部用組立部７１及び平板部用分割面７２Ａ，７２Ｂ，７２Ｃの表面及び／または裏面から厚さ方向一側及び／または両側に突出する厚肉状をなし、十分な深さの屈曲溝８５ａを形成できる厚さを有している。なお、屈曲溝８５ａは実施の形態７の境界線７２ｘに設けた屈曲溝と同様の形状であるが、芯部８５が厚肉である分、大きい深さのＶ溝状をなす。これにより、芯部８５の屈曲溝８５ａ部分で、平板部用分割面７２Ａ，７２Ｂ，７２Ｃを突起部用分割面７１Ａ，７１Ｂに対して表面側へ屈曲自在となっている。一方、各芯部８５において、突起部用組立部７１の一対の突起部用分割面７１Ａ，７１Ｂ間の境界線７１ｘ部分の表面側には、芯部８５の肉厚の途中まで（即ち、その表面から裏面近傍まで）切れ込むよう、前記境界線に沿って（境界線と同一線上を）延びるスリット状の屈曲溝８５ｂが形成されている。なお、屈曲溝８５ｂは実施の形態７の境界線７１ｘに設けた屈曲溝と同様の形状であるが、芯部８５が厚肉である分、大きい深さのスリット状をなす。これにより、一対の突起部用分割面７１Ａ，７１Ｂが、芯部８５の屈曲溝８５ｂ部分で裏面側へ容易に屈曲自在となっている。
【００７４】
即ち、実施の形態８に係る園芸用底敷８０は、山形状を形成するよう突起部用組立部７１の一対の突起部用分割面７１Ａ，７１Ｂを前記屈曲溝８５ｂを介して裏面側へ折り曲げることにより、園芸用容器の底壁の水抜き孔に対向して配置自在な中空の山形状をなす突起部７１Ｘ（屈曲状態の突起部用組立部７１）を形成自在となっている。また、実施の形態８に係る園芸用底敷８０は、平板部用分割面７２Ａ，７２Ｂ，７２Ｃを、前記山形状とした突起部用分割面７１Ａ，７１Ｂにおける前記山形状の底辺から外側へ前記底辺と略同一線上に延びるよう前記屈曲溝８５ａを介して表面側に折り曲げることにより、園芸用容器の底壁に載置自在な平板部（屈曲状態の平板部用分割面７２Ａ，７２Ｂ，７２Ｃ）を形成自在となっている。
【００７５】
ここで、実施の形態８に係る園芸用底敷８０は、その展開状態（各突起部用組立部７１の突起部用分割面７１Ａ，７１Ｂ及び平板部用分割面７２Ａ，７２Ｂ，７２Ｃの全てを展開して同一平面上に配置した状態）における芯部８５の屈曲溝８５ａの頂角θ１を、実施の形態７の屈曲溝７２ｘと同様、突起部用分割面７１Ａ，７１Ｂに対する平板部用分割面７２Ａ，７２Ｂ，７２Ｃの折り曲げ状態において、突起部用分割面７１Ａ，７１Ｂの表面及び平板部用分割面７２Ａ，７２Ｂ，７２Ｃの表面とが形成する角度の約２分の１の角度（即ち、一対の突起部用分割面７１Ａ，７１Ｂが折り曲げ状態で形成する前記山形状の底辺の内角θ１と略同一角度）としている。これにより、左右一対の平板部用分割面７２Ａ，７２Ｂを、その展開状態から、一方及び他方の突起部用組立部７１の外側で対をなす突起部用分割面７１Ａ，７１Ｂに対してそれぞれ表面側へ屈曲したときに、前記芯部８５の屈曲溝８５ａは、そのＶ字状面の両面を互いに密接して消失し、芯部８５の表面側で前記境界線７２ｘと同一線上を延びるよう屈曲溝８５ａの上端が直線状（細線状）に表れる。そして、このとき、左右一対の平板部用分割面７２Ａ，７２Ｂが、一方及び他方の突起部用組立部７１の外側で対をなす突起部用分割面７１Ａ，７１Ｂに対して、各突起部用組立部７１が形成する前記山形状の底辺と同一線上を外側へと延び、前記芯部８５の屈曲溝８５ａの密接する両側面により、そのままの角度で固定される。
【００７６】
同様に、前記境界線７２ｘで芯部８５の屈曲溝８５ａを介して、中央の平板部用分割面７２Ｃを一方及び他方の突起部用組立部７１の内側で対をなす突起部用分割面７１Ｂ，７１Ａに対して表面側へ屈曲したときに、前記芯部８５の屈曲溝８５ａは、そのＶ字状の両面を互いに密接して消失し、芯部８５の表面側で前記境界線７２ｘと同一線上を延びるよう屈曲溝８５ａの上端が直線状（細線状）に表れる。そして、このとき、中央の平板部用分割面７２Ｃが、一方及び他方の突起部用組立部７１の内側で対をなす突起部用分割面７１Ｂ，７１Ａに対して、各突起部用組立部７１が形成する前記山形状の底辺と同一線上を内側へと延び、前記屈曲溝の密接する両側面により、そのままの角度で固定される。一方、各突起部用組立部の一対の突起部用分割面７１Ａ，７１Ｂはその間の境界線７１ｘ部分の芯部８５の屈曲溝８５ｂにより、互いに表面側に屈曲して山形状となり、境界線７１ｘ部分の芯部８５の屈曲溝８５ｂは、前記スリット状から断面Ｖ字状へと拡がる。その結果、平面部用分割面７２Ａ，７２Ｂ，７２Ｃが、同一平面上を水平に延びるよう配置されると共に、２つの突起部用組立部７１が、前記同一平面上を水平に延びる平面部用分割面７２Ａ，７２Ｂ，７２Ｃの間で、上方へと山形状（二等辺三角形状）となって延びる。
【００７７】
次に、上記のように構成した実施の形態８に係る園芸用底敷８０の製造方法及び使用方法並びに作用及び効果について説明する。
実施の形態８に係る園芸用底敷８０は、実施の形態７に係る園芸用底敷７０と同様にして、合成樹脂等の材料を前記展開状態の形状に一体成形することにより製造することができ、実施の形態７に係る園芸用底敷７０と同様にして使用することができ、実施の形態７に係る園芸用底敷７０と同様の作用及び効果を発揮する。加えて、実施の形態８に係る園芸用底敷８０は、その幅方向全体を延びるよう複数位置に芯部８５を一体形成すると共に、芯部８５にＶ溝状の屈曲溝８５ａを形成したため、園芸用容器に載置される使用時に、図１６に示すように、前記突起用組立部７１を立体形状（山形状）となるよう組立状態とすると共に、平板部用分割面７２Ａ，７２Ｂ，７２Ｃを折曲状態として水平状態としたときに、突起用組立部７１の両突起部用分割面７１Ａ，７１Ｂを安定して確実に山形状へと形成及び保持することができると共に、平板部用分割面７２Ａ，７２Ｂ，７２Ｃを安定して確実に水平状態へと形成及び保持することができる。即ち、実施の形態８に係る園芸用底敷８０は、芯部８５により、その組立状態の形状を安定して維持することができる。その結果、実施の形態８に係る園芸用底敷８０は、上記各実施の形態で述べたような排水効果及び外気導入効果を一層安定して確実に発揮することができる。特に、実施の形態８に係る園芸用底敷８０は、園芸用容器の底壁に載置したとき、幅方向両側に位置する左右一対の平板部用分割面７２Ａ，７２Ｂが、隣接する突起部用分割面７１Ａ，７１Ｂに対して、前記芯部８５のＶ溝状の屈曲溝８５ａの作用により、水平状態を維持して園芸用容器の底壁に略密接する。よって、平板部用分割面７２Ａ，７２Ｂが園芸用容器の底壁から浮き上がることにより、突起部７１Ｘの山形状が広がって崩れるといった不具合を一層有効に防止することができ、突起部７１Ｘの山形状の頂角を好ましい角度（例えば、実施の形態１のような約３０度〜約７０度または約５０度）に一層安定して維持して、排水効率及び外気導入効率等をより大幅に向上することができる。
【００７８】
実施の形態９
図１７は本発明の実施の形態９に係る園芸用底敷の展開状態を示す底面図である。図１８は本発明の実施の形態９に係る園芸用底敷の展開状態を示す正面図である。図１９は本発明の実施の形態９に係る園芸用底敷の組立状態を示す側面図である。
実施の形態９に係る園芸用底敷９０は、実施の形態８に係る園芸用底敷８０の芯部８５のスリット状の屈曲溝８５ｂの代わりに、芯部９５の裏面側にＶ溝状の屈曲溝８５ｂを設けたものである。その他の構成は、実施の形態８に係る園芸用底敷８０と同様である。詳細には、図１７〜図１９に示すように、実施の形態９に係る園芸用底敷９０は、実施の形態８に係る園芸用底敷８０の芯部８５と同様の構成の芯部９５を備えている。より詳細には、芯部９５は、園芸用底敷９０の長さ方向両端位置と、その両端間を６箇所に均等に分割した位置にそれぞれ設けられ、合計で８個の芯部９５が設けられている。各芯部９５は、前記境界線方向と直交する方向（図１７中の左右方向または園芸用底敷９５の幅方向）に突起部用分割面７１Ａ，７１Ｂ及び平板部用分割面７２Ａ，７２Ｂ，７２Ｃの全長を延びるよう一体形成されている。また、各芯部９５は、突起部用組立部７１の突起部用分割面７１Ａ，７１Ｂ及び平板部用分割面７２Ａ，７２Ｂ，７２Ｃより厚肉とされた中実の直線棒状をなす。
【００７９】
各芯部９５において、各突起部用分割面７１Ａ，７１Ｂと各平板部用分割面７２Ａ，７２Ｂ，７２Ｃとの境界線部分の表面側には、実施の形態８の芯部８５の場合と同様にして、断面Ｖ字状の屈曲溝８５ａが形成されている。一方、各芯部９５において、突起部用組立部７１の一対の突起部用分割面７１Ａ，７１Ｂ間の境界線７１ｘ部分の裏面側には、芯部８５の肉厚の途中まで（即ち、その裏面から表面近傍まで）切れ込むよう、前記境界線に沿って（境界線と同一線上を）延びる断面逆Ｖ字状の屈曲溝９５ｂが形成されている。なお、屈曲溝９５ｂは、芯部９５が厚肉であるため、大きい深さのＶ溝状をなす。これにより、一対の突起部用分割面７１Ａ，７１Ｂが、芯部９５の屈曲溝９５ｂ部分で裏面側へ容易に屈曲自在となっている。
【００８０】
ここで、実施の形態９に係る園芸用底敷９０は、その展開状態（各突起部用組立部７１の突起部用分割面７１Ａ，７１Ｂ及び平板部用分割面７２Ａ，７２Ｂ，７２Ｃの全てを展開して同一平面上に配置した状態）における芯部９５の屈曲溝９５ｂの頂角θ３を、前記一対の突起部用分割面７１，７１Ｂの折り曲げ状態において、一対の突起部用分割面７１Ａ，７１Ｂの裏面が形成する角度（即ち、前記山形状の頂角θ２）の約２倍の角度としている。これにより、一対の突起部用分割面７１Ａ，７１Ｂを、その展開状態から裏面側へ屈曲して山形状としたときに、前記芯部９５の屈曲溝９５ａは、その逆Ｖ溝状面の両面を互いに密接して消失し、芯部９５の裏面側で前記境界線７１ｘと同一線上を延びるよう屈曲溝９５ｂの下端が直線状（細線状）に表れる。そして、このとき、突起部用分割面７１Ａ，７１Ｂが、前記山形状となった状態で、前記芯部９５の屈曲溝９５ｂの密接する両側面により、そのままの角度で固定される。その結果、実施の形態８と同様にして、平面部用分割面７２Ａ，７２Ｂ，７２Ｃが、同一平面上を水平に延びるよう配置されると共に、２つの突起部用組立部７１が、前記同一平面上を水平に延びる平面部用分割面７２Ａ，７２Ｂ，７２Ｃの間で、上方へと山形状（二等辺三角形状）となって延びる。
【００８１】
次に、上記のように構成した実施の形態９に係る園芸用底敷９０の製造方法及び使用方法並びに作用及び効果について説明する。
実施の形態９に係る園芸用底敷９０は、実施の形態７に係る園芸用底敷７０と同様にして、合成樹脂等の材料を前記展開状態の形状に一体成形することにより製造することができ、実施の形態７に係る園芸用底敷７０と同様にして使用することができ、実施の形態７に係る園芸用底敷７０と同様の作用及び効果を発揮する。加えて、実施の形態９に係る園芸用底敷９０は、その幅方向全体を延びるよう複数位置に芯部９５を一体形成すると共に、芯部９５の表面にＶ溝状の屈曲溝８５ａを、裏面に逆Ｖ溝状の屈曲溝９５ｂを形成したため、園芸用容器に載置される使用時に、図１９に示すように、前記突起用組立部７１を立体形状（山形状）となるよう組立状態とすると共に、平板部用分割面７２Ａ，７２Ｂ，７２Ｃを折曲状態として水平状態としたときに、突起用組立部７１の両突起部用分割面７１Ａ，７１Ｂをより安定して確実に山形状へと形成及び保持することができると共に、平板部用分割面７２Ａ，７２Ｂ，７２Ｃを安定して確実に水平状態へと形成及び保持することができる。
【００８２】
即ち、実施の形態９に係る園芸用底敷９０は、芯部９５により、その組立状態の形状をより安定して維持することができる。その結果、実施の形態９に係る園芸用底敷９０は、上記各実施の形態で述べたような排水効果及び外気導入効果をより一層安定して確実に発揮することができる。特に、実施の形態９に係る園芸用底敷９０は、園芸用容器の底壁に載置したとき、幅方向両側に位置する左右一対の平板部用分割面７２Ａ，７２Ｂが、隣接する突起部用分割面７１Ａ，７１Ｂに対して、前記芯部９５のＶ溝状の屈曲溝８５ａの作用により、水平状態を維持して園芸用容器の底壁に略密接すると共に、各突起部用組立部７１の突起部用分割面７１Ａ，７１Ｂが、安定して山形状を維持する。よって、平板部用分割面７２Ａ，７２Ｂが園芸用容器の底壁から浮き上がることにより、突起部７１Ｘの山形状が広がって崩れるといった不具合を一層有効に防止することができると共に、突起部７１Ｘの山形状を初期の角度に確実に固定することができ、突起部７１Ｘの山形状の頂角を好ましい角度（例えば、実施の形態１のような約３０度〜約７０度または約５０度）に一層安定して維持して、排水効率及び外気導入効率等をより大幅に向上することができる。
【００８３】
ところで、実施の形態８、９に係る園芸用底敷８０，９０は、芯部８５以外の境界線７１ｘ，７２ｘの全長にも、実施の形態７のような屈曲溝を設けることができ、その方が屈曲を容易にする点で好ましいが、芯部８５以外の境界線７１ｘ，７２ｘには屈曲溝を設けることなく実施することも可能である。この場合、園芸用底敷８０，９０における芯部８５以外の部分（突起部用組立部７１及び平板部用分割面７２Ａ，７２Ｂ，７２Ｃ部分）の肉厚を薄くすることが、全体の屈曲を容易にする点で好ましい。更に、実施の形態９に係る園芸用底敷９０は、平板部用分割面７２Ａ，７２Ｂ，７２Ｃを備えず、突起部用組立部のみにより構成することも可能である。この場合も、芯部９５の裏面側に設けた逆Ｖ溝状の屈曲溝９５による効果を発揮することができる。更にまた、実施の形態９に係る園芸用底敷９０は、芯部９５を設けず、突起部用組立部７１の一対の突起部用分割面７１Ａ，７１Ｂの境界線７１ｘ部分の裏面側に、前記屈曲溝９５ｂと同様の断面逆Ｖ字状の屈曲溝を設けて実施することもできる。
【００８４】
また、実施の形態７，８，９に係る園芸用底敷７０，８０，９０は、２つの突起部用組立部７１（突起部７１Ｘ）間に中央の平板部用分割面７２Ｃを設けているが、かかる中央の平板部用分割面７２Ｃを設けることなく、２つの突起部用組立部７１を隣接して配置し、それらの隣接する突起部用分割面７１Ｂ，７１Ａが互いに隙間なく密接して、それらの間に境界線を形成するよう実施することもできる。この場合、隣接する突起部用分割面７１Ｂ，７１Ａ間の境界線部分には、その裏面側に、前記各突起部用組立部７１の突起部用分割面７１Ａ，７１Ｂ間の境界線７１ｘに設けたスリット状の屈曲溝と同様のスリット状の屈曲溝を設けて、その屈曲を容易にすることが好ましい。また、実施の形態７，８，９に係る園芸用底敷７０，８０，９０は、２つの突起部用組立部７１（突起部７１Ｘ）を備えているが、１つの突起部用組立部７１（突起部７１Ｘ）のみ備える構成とすることもできる。この場合、１つの突起部用組立部７１の幅方向両側に前記一対の平板部用分割面７２Ａ，７２Ｂが配置される。更に、実施の形態７に係る園芸用底敷７０は、３つ以上の突起部用組立部７１（突起部７１Ｘ）を備える構成とすることもできる。この場合、幅方向両側に位置する左右一対の突起部用組立部７１の外側に、それぞれ、前記左右一対の平板部用分割面７２Ａ，７２Ｂが配置され、隣接する突起部用組立部７１間に前記平板部用分割面７２Ｃが配置される。
【００８５】
更にまた、実施の形態７，８，９に係る園芸用底敷７０，８０，９０は、前記屈曲溝８５ａ，８５ｂ，９５ｂの内側面に粘着手段を設け、一対の突起部用分割面７１Ａ，７１Ｂ等の屈曲状態において、それらを粘着面で粘着手段の粘着力により互いに結合して容易には離脱しないようにすることも可能である。加えて、実施の形態７，８，９に係る園芸用底敷７０，８０，９０は、前記芯部８５，９５を含む前記境界線７１ｘ、７２ｘの全長（突起部用組立部７１及び平板部用分割面７２Ａ，７２Ｂ，７２Ｃの両方）にわたって延びるよう前記屈曲溝８５ａ，８５ｂ，９５ｂを設けることも可能である。
【００８６】
実施の形態１０
図２０は本発明の実施の形態１０に係る園芸用底敷を示す平面図である。図２１は本発明の実施の形態１０に係る園芸用底敷を示す正面図である。
実施の形態１０に係る園芸用底敷１００は、底壁に複数の水抜き孔を有する園芸用容器に使用される。実施の形態１０に係る園芸用底敷１００は、図２０〜図２１に示すように、突起部１０１と平板部１０２とを備える。詳細には、平板部１０２は、前記園芸用容器の底壁に載置自在とされる矩形（長方形）平板状をなす。また、突起部１０１は、平板部１０２を園芸用容器の底壁に載置したときに、園芸用容器の複数の水抜き孔にそれぞれ対向するよう、平板部１０２に複数（図２０では左右２個の組を上下４列の合計８個）一体的に突出形成されている。また、実施の形態１０に係る園芸用底敷１００は、前記複数の突起部１０１の各々を中空の四角錘形状とすると共に、前記複数の突起部１０１の各々に多数の排水孔１０１ａを設けている。また、平板部１０２にも、多数の排水孔１０２ａが形成されている。なお、実施の形態１０に係る園芸用底敷１００は、前記四角錘形状の突起部１０１を、側面間の境界線が正面、両側面及び背面（図２０中の下方、左右両方及び上方）を向くよう、平板部１０２に一体形成されている。なお、各突起部１０１は、中空状であると共に、平板部１０２との接合箇所である下端を開放され、下端に正方形状の開口を形成している。
【００８７】
実施の形態１１
図２２は本発明の実施の形態１１に係る園芸用底敷を示す斜視図である。図２３は本発明の実施の形態１１に係る園芸用底敷を示す正面図である。
実施の形態１１に係る園芸用底敷１１０は、実施の形態１０に係る園芸用底敷１００とほぼ同様の構成であり、底壁に複数の水抜き孔を有する園芸用容器に使用される。実施の形態１１に係る園芸用底敷１１０は、図２２〜図２３に示すように、突起部１１１と平板部１１２とを備える。詳細には、平板部１１２は、前記園芸用容器の底壁に載置自在とされる矩形（長方形）平板状をなす。また、突起部１１１は、平板部１１２を園芸用容器の底壁に載置したときに、園芸用容器の複数の水抜き孔にそれぞれ対向するよう、平板部１１２に複数（例えば、左右２個の組を上下４列の合計８個）一体的に突出形成されている。また、実施の形態１１に係る園芸用底敷１１０は、前記複数の突起部１１１の各々を中空の四角錘形状とすると共に、前記複数の突起部１１１の各々に多数の排水孔１１１ａを設けている。また、平板部１１２にも、多数の排水孔１１２ａが形成されている。なお、実施の形態１１に係る園芸用底敷１１０は、前記四角錘形状の突起部１１１を、側面が正面、両側面及び背面（その長さ方向及び幅方向）を向くよう、平板部１１２に一体形成されている。なお、各突起部１１１は、中空状であると共に、平板部１１２との接合箇所である下端を開放され、下端に正方形状の開口を形成している。
【００８８】
実施の形態１２
図２４は本発明の実施の形態１２に係る園芸用底敷を示す斜視図である。
実施の形態１２に係る園芸用底敷１２０は、実施の形態１１に係る園芸用底敷１１０の平板部１１２の幅方向両端の全長に沿って、それぞれ脚部１２５を一体形成したものである。詳細には、実施の形態１２に係る園芸用底敷１２０は、図２４に示すように、平板部１１２の幅方向両端に、平板部１１２の平面と略直交して突部１１１と反対方向に延びる左右一対の脚部１２５を一体形成している。各脚部１２５は、帯状をなし、平板部１１２と略直交してその裏面側に突出形成されている。そして、平板部１１２を園芸用容器の底壁に載置したときに、平板部１１２が脚部１２５を介して園芸用容器の底壁との間に間隙を置いて上方に配置されるようにしている。
【００８９】
実施の形態１３
図２５は本発明の実施の形態１３に係る園芸用底敷の展開状態を示す斜視図である。図２６は本発明の実施の形態１３に係る園芸用底敷の展開状態を示す平面図である。図２７は本発明の実施の形態１３に係る園芸用底敷の展開状態を示す側面図である。図２８は本発明の実施の形態１３に係る園芸用底敷の折畳状態を示す斜視図である。図２９は本発明の実施の形態１３に係る園芸用底敷の折畳状態を示す側面図である。図３０は本発明の実施の形態１３に係る園芸用底敷の店舗陳列状態を示す斜視図である。
【００９０】
実施の形態１３に係る園芸用底敷１３０は、図２５〜図２９に示すように、突起部１３１と、平板部１３２，１３３とを備える。詳細には、実施の形態１３に係る園芸用底敷１３０では、平板部１３２，１３３は、園芸用容器の底壁に載置自在とされる板状をなす。具体的には、平板部１３２，１３３は、両端を略半円形とし、中央を矩形とした略楕円板状をなす。一方、突起部１３１は、平板部１３２，１３３を園芸用容器の底壁に載置したときに、園芸用容器の水抜き孔に対向するよう、平板部１３２，１３３に一体的に突出形成されている。突起部１３１は、下端を開口する中空の円錐形状とされている。突起部１３１には、実施の形態１の園芸用底敷１０の突起部１１と同様、多数の排水孔１３１ａ，１３１ｂからなる排水部１３１Ａ，１３１Ｂが設けられている。
【００９１】
ここで、前記平板部１３２，１３３は、突起部側平板部１３２と、折畳側平板部１３３とからなる。突起部側平板部１３２は、突起部１３１の下端の開口の周囲から外方に広がるフランジ状をなし、上記略楕円形状を半分に切断した外形を有している。また、折畳側平板部１３３は、突起部側平板部１３２と同一外形を有する平板状（上記略楕円形状を半分に切断した平板状）をなし、突起部側平板部１３２と同一平面上に延びるよう突起部側平板部１３２に一体形成されている。折畳側平板部１３３の先端部（半円形上の中央付近）には、円形の吊下げ孔１３４が厚さ方向に貫通して形成されている。また、突起部側平板部１３２と折畳側平板部１３３との間（前記略楕円形状の中央）には、幅方向の全長にわたって、断面Ｖ字状の屈曲溝１３５が、表面から裏面の近傍まで延びる深さで形成されている。更に、折畳側平板部１３３の先端部（半円形上の中央付近）の裏面側には、小さい円柱状の掛止部１３６がその厚さ方向に突出して一体形成されている。掛止部１３６の先端部は、小さい半球状のフック状となっている。一方、突起部側平板部１３２の先端部（半円形上の中央付近）の裏面側には、前記掛止部１３６に対応する形状の掛止孔１３７がその厚さ方向に延びるよう形成されている。
【００９２】
これにより、前記屈曲溝１３５を介して、折畳側平板部１３３を突起部側平板部１３２に対して折畳んで重ね合わせ自在となると共に、折畳側平板部１３３を突起部側平板部１３２に対して折畳んで重ね合わせたときに、前記折畳側平板部１３３の掛止部１３６が突起部側平板部１３２の掛止孔１３７内に嵌入して掛止され、図２８〜図２９に示すように、折畳側平板部１３３が突起部側平板部１３２の裏面側に密に重ねあわされた状態で固定されるようになっている。なお、折畳側平板部１３３を突起部側平板部１３２から引き離すよう引っ張ることにより、掛止部１３６が掛止孔１３７から抜け出て、折畳側平板部１３３を突起部側平板部１３２に対して容易に展開状態とすることができる。なお、突起部側平板部１３２の全面には、多数の排水孔１３２ａが、その厚さ方向に貫通するよう形成されている。同様に、折畳側平板部１３３の全面には、多数の排水孔１３３ａが、その厚さ方向に貫通するよう形成されている。そして、折畳側平板部１３３を突起部側平板部１３２に対して折畳んで重ね合わせたときに、折畳側平板部１３３が突起部１３１の下端の開口の全体を覆うと共に、折畳側平板部１３３の多数の排水孔１３３ａが突起部１３１の下端の開口に配置されるようになっている。
【００９３】
次に、上記のように構成した実施の形態１３に係る園芸用底敷１３０の製造方法及び使用方法並びに作用及び効果について説明する。
実施の形態１３に係る園芸用底敷１３０は、実施の形態１に係る園芸用底敷１０と同様にして、合成樹脂等の材料を前記展開状態の形状に一体成形することにより製造することができ、実施の形態１に係る園芸用底敷１０と同様にして使用することができ、実施の形態１に係る園芸用底敷１０と同様の作用及び効果を発揮する。更に、実施の形態１３に係る園芸用底敷１３０は、折畳側平板部１３３を突起部側平板部１３２に対して折畳んで重ね合わせることにより、折畳側平板部１３３が突起部１３１の下端の開口の全体を覆うと共に、折畳側平板部１３３の多数の排水孔１３３ａが突起部１３１の下端の開口に配置される。その結果、園芸用容器の底壁の水抜き孔から侵入するナメクジを、折畳側平板部１３３により効果的に阻止して、ナメクジによる被害を確実に防止することができる。また、実施の形態１３に係る園芸用底敷１３０は、図３０に示すような展開状態で、フックＦ等の吊り下げ手段を、折畳側平板部の吊下げ孔１３４に挿入することにより、容易に吊下げることができ、その状態で店舗に陳列することができる。
【図面の簡単な説明】
【００９４】
【図１】図１は本発明の実施の形態１に係る園芸用底敷を示す斜視図である。図２は本発明の実施の形態１に係る園芸用底敷を示す側面図である。
【図２】図２は本発明の実施の形態１に係る園芸用底敷を示す側面図である。
【図３】図３は本発明の実施の形態１に係る園芸用底敷の突起部の頂角の好適範囲を示す説明図である。
【図４】図４は本発明の実施の形態１に係る園芸用底敷の使用状態を示す説明図である。
【図５】図５は本発明の実施の形態３に係る園芸用底敷の展開状態を示す平面図である。
【図６】図６は本発明の実施の形態３に係る園芸用底敷の組立状態を示す平面図である。
【図７】図７は本発明の実施の形態３に係る園芸用底敷の組立状態を示す斜視図である。
【図８】図８は本発明の実施の形態４に係る園芸用底敷の展開状態を示す平面図である。
【図９】図９は本発明の実施の形態４に係る園芸用底敷の組立状態を示す平面図である。
【図１０】図１０は本発明の実施の形態４に係る園芸用底敷の組立状態を示す斜視図である。
【図１１】図１１は本発明の実施の形態５に係る園芸用底敷の展開状態を示す平面図である。
【図１２】図１２は本発明の実施の形態６に係る園芸用底敷の展開状態を示す平面図である。
【図１３】図１３は本発明の実施の形態７に係る園芸用底敷の組立状態を示す斜視図である。
【図１４】図１４は本発明の実施の形態７に係る園芸用底敷の展開状態を示す平面図である。
【図１５】図１５は本発明の実施の形態７に係る園芸用底敷の展開状態を示す正面図である。
【図１６】図１６は本発明の実施の形態７に係る園芸用底敷の組立状態を示す側面図である。
【図１７】図１７は本発明の実施の形態８に係る園芸用底敷の展開状態を示す底面図である。
【図１８】図１８は本発明の実施の形態８に係る園芸用底敷の展開状態を示す正面図である。
【図１９】図１９は本発明の実施の形態８に係る園芸用底敷の組立状態を示す側面図である。
【図２０】図２０は本発明の実施の形態９に係る園芸用底敷を示す平面図である。
【図２１】図２１は本発明の実施の形態９に係る園芸用底敷を示す正面図である。
【図２２】図２２は本発明の実施の形態１０に係る園芸用底敷を示す斜視図である。
【図２３】図２３は本発明の実施の形態１０に係る園芸用底敷を示す正面図である。
【図２４】図２４は本発明の実施の形態１１に係る園芸用底敷を示す斜視図である。
【図２５】図２５は本発明の実施の形態１２に係る園芸用底敷の展開状態を示す斜視図である。
【図２６】図２６は本発明の実施の形態１２に係る園芸用底敷の展開状態を示す平面図である。
【図２７】図２７は本発明の実施の形態１２に係る園芸用底敷の展開状態を示す側面図である。
【図２８】図２８は本発明の実施の形態１２に係る園芸用底敷の折畳状態を示す斜視図である。
【図２９】図２９は本発明の実施の形態１２に係る園芸用底敷の折畳状態を示す側面図である。
【図３０】図３０は本発明の実施の形態１２に係る園芸用底敷の店舗陳列状態を示す斜視図である。
【符号の説明】
【００９５】
１  園芸用容器、２  底壁、２ａ  水抜き孔
１０，２０，３０，４０，５０，６０，７０，８０，９０，１００，１１０，１２０，１３０  園芸用底敷
１１，２１，３１Ｘ，４１Ｘ，７１Ｘ，１０１，１１１，１３１  突起部
１１ａ，２１ａ，３１ａ，３１ｂ，３１ｃ，４１ａ，４１ｂ，４１ｃ，４１ｄ，７１ａ，７１ｂ，１０１ａ，１１１ａ，１３１ａ  排水孔
１２，２２，１０２，１１２，１３２，１３３  平板部
７２ａ，７２ｂ，７２ｃ，１０２ａ，１１２ａ，１３２ａ，１３３ａ  排水孔
３１，４１  突起部用組立部
３１Ａ，３１Ｂ，３１Ｃ，４１Ａ，４１Ｂ，４１Ｃ，４１Ｄ  分割面
３２Ａ，３２Ｂ，３２Ｃ，４２Ａ，４２Ｂ，４２Ｃ，４２Ｄ  平板部用縁部
３５，５５  係止部  ３６，５６  係止部
７１  突起部用組立部、７１Ａ，７１Ｂ  突起部用分割面
７２Ａ，７２Ｂ，７２Ｃ  平板部用分割面、７１ｘ，７２ｘ  境界線
８５，９５  芯部、８５ａ，８５ｂ，９５ｂ  屈曲溝
θ１，θ２，θ３  頂角、角度
【図１】
2005073584.tif 000003
【図２】
2005073584.tif 000004
【図３】
2005073584.tif 000005
【図４】
2005073584.tif 000006
【図５】
2005073584.tif 000007
【図６】
2005073584.tif 000008
【図７】
2005073584.tif 000009
【図８】
2005073584.tif 000010
【図９】
2005073584.tif 000011
【図１０】
2005073584.tif 000012
【図１１】
2005073584.tif 000013
【図１２】
2005073584.tif 000014
【図１３】
2005073584.tif 000015
【図１４】
2005073584.tif 000016
【図１５】
2005073584.tif 000017
【図１６】
2005073584.tif 000018
【図１７】
2005073584.tif 000019
【図１８】
2005073584.tif 000020
【図１９】
2005073584.tif 000021
【図２０】
2005073584.tif 000022
【図２１】
2005073584.tif 000023
【図２２】
2005073584.tif 000024
【図２３】
2005073584.tif 000025
【図２４】
2005073584.tif 000026
【図２５】
2005073584.tif 000027
【図２６】
2005073584.tif 000028
【図２７】
2005073584.tif 000029
【図２８】
2005073584.tif 000030
【図２９】
2005073584.tif 000031
【図３０】
2005073584.tif 000032